(57)【要約】【課題】マルチフィードや処理エラーなどが生じたために読み取り直して再処理する必要のある原稿を自動で特定することができる原稿読取装置を提供する。【解決手段】ＦＡＸ送信を行うために原稿群を読み取る原稿読取装置の自動原稿送り装置１６に、原稿Ｍの表面ＭＦを読み取る第１の読取光学系３５と、原稿Ｍの裏面ＭＲを読み取る第２の読取光学系３６と、原稿ＭのＦＡＸ送信状態を識別するスタンプＳを各原稿Ｍの裏面ＭＲに押印するスタンプ機構５０とを設ける。ＦＡＸ送信にて再送モードが設定されている場合には、第２の読取光学系３６で読み取った各原稿ＭのスタンプＳの状況に応じて再送信する原稿Ｍを特定するよう制御する。【選択図】図３
2008182671.tif 000002
【特許請求の範囲】
【請求項１】
複数枚の原稿からなる原稿群の各原稿の表裏面を読み取る読取手段と、
前記読取手段で読み取った前記各原稿の裏面に識別マークを付与する識別マーク付与手段と、
前記読取手段で読み取った前記原稿群の再読み取りを設定する再読取設定手段と、
前記再読取設定手段によって再読み取りが設定されている場合に、前記読取手段で読み取った前記各原稿の裏面における識別マークの状況に応じて再処理対象の原稿を特定する原稿特定手段と、
を有する
ことを特徴とする原稿読取装置。
【請求項２】
前記再読取設定手段によって再読み取りが設定されている場合に、前記識別マークが裏面に付与されていない原稿を読み取ったとき、その原稿の次ページの原稿を前記再処理対象の原稿に特定する
ことを特徴とする請求項１に記載の原稿読取装置。
【請求項３】
前記再読取設定手段によって再読み取りが設定されている場合に、処理エラーを示す識別マークが裏面に付与されている原稿を読み取ったとき、その原稿を前記再処理対象の原稿に特定する
ことを特徴とする請求項１に記載の原稿読取装置。
【請求項４】
前記再読取設定手段によって再読み取りが設定されている場合に、処理エラーを示す識別マークが裏面に付与されている原稿を読み取ったとき、その原稿の手前に連なる識別マークの付与されていない原稿の中の先頭ページを前記再処理対象の原稿に特定する
ことを特徴とする請求項１に記載の原稿読取装置。
【請求項５】
前記再読取設定手段によって再読み取りが設定されている場合に、処理エラーを示す識別マークが裏面に付与されている原稿を読み取った後、次ページ以降のすべての原稿の裏面に識別マークがなかったときは、前記処理エラーを示す識別マークが裏面に付与されている原稿以降の全原稿を前記再処理対象の原稿に特定する
ことを特徴とする請求項１乃至４のいずれか１項に記載の原稿読取装置。
【請求項６】
前記識別マークには、片面原稿に使用される片面識別マークと、両面原稿に使用される両面用識別マークとがあり、
前記原稿特定手段は、前記読取手段によって読み取った識別マークが前記片面識別マークであると判別した場合に前記再処理対象の原稿の特定を行う
ことを特徴とする請求項１乃至５のいずれか１項に記載の原稿読取装置。
【請求項７】
複数枚の原稿からなる原稿群の各原稿の表裏面を読み取る読取手段と、
前記読取手段で読み取った前記各原稿の裏面に識別マークを付与する識別マーク付与手段と、
前記読取手段で読み取った前記原稿群の再読み取りを設定する再読取設定手段と、
前記再読取設定手段によって再読み取りが設定されている場合に、前記読取手段で読み取った前記各原稿の裏面における識別マークの状況に応じて再処理対象の原稿面を特定する原稿特定手段と、
を有する
ことを特徴とする原稿読取装置。
【請求項８】
前記再読取設定手段によって再読み取りが設定されている場合に、前記識別マークが裏面に付与されていない原稿を読み取ったとき、その原稿の裏面と次ページの原稿の表面とを前記再処理対象の原稿面に特定する
ことを特徴とする請求項７に記載の原稿読取装置。
【請求項９】
前記再読取設定手段によって再読み取りが設定されている場合に、表裏面の少なくともいずれかの処理エラーを示す識別マークが裏面に付与されている原稿を読み取ったとき、その原稿のうち前記識別マークが処理エラーを示す面を前記再処理対象の原稿面に特定する
ことを特徴とする請求項７に記載の原稿読取装置。
【請求項１０】
前記再読取設定手段によって再読み取りが設定されている場合に、表面の処理エラーを示す識別マークが裏面に付与されている原稿を読み取ったとき、その原稿の手前に連なる識別マークの付与されていない原稿の中の先頭ページの表面を前記再処理対象の原稿面に特定する
ことを特徴とする請求項７に記載の原稿読取装置。
【請求項１１】
前記再読取設定手段によって再読み取りが設定されている場合に、表裏面の処理エラー、または、裏面の処理エラー、または、表面は処理エラーでかつ裏面は未処理、を示す識別マークが裏面に付与されている原稿を読み取った後、次ページ以降のすべての原稿の裏面に識別マークがなかったときは、前記処理エラーを示す識別マークが裏面に付与されている原稿のうち前記識別マークが処理エラーを示す面および前記識別マークが未処理を示す面と、その原稿以降の全原稿の表裏面とを前記再処理対象の原稿面に特定する
ことを特徴とする請求項７乃至１０のいずれか１項に記載の原稿読取装置。
【請求項１２】
前記識別マークには、片面原稿に使用される片面識別マークと、両面原稿に使用される両面用識別マークとがあり、
前記原稿特定手段は、前記読取手段によって読み取った識別マークが前記両面識別マークであると判別した場合に前記再処理対象の原稿面の特定を行う
ことを特徴とする請求項７乃至１１のいずれか１項に記載の原稿読取装置。
【請求項１３】
前記読取手段は、前記原稿の表面を読み取る第１の読取手段と、前記原稿の裏面を読み取る第２の読取手段と、で構成されている
ことを特徴とする請求項１乃至１２のいずれか１項に記載の原稿読取装置。
【発明の詳細な説明】
【技術分野】
【０００１】
本発明は、読取手段で読み取った原稿の裏面に識別マークを付与する機能を備えた原稿読取装置に関する。
【背景技術】
【０００２】
原稿群を読み取ってファクシミリ送信するファクシミリ装置やファクシミリ機能を備えたデジタル複合機には、原稿のＦＡＸ送信が正常に行われた場合に、原稿の裏面にスタンプをマークすることで、正常にＦＡＸ送信された原稿とＦＡＸ未送信の原稿とを容易に識別可能とするような「済みスタンプ」と呼ばれる機能を搭載した機種がある。
【０００３】
このようなＦＡＸ送信済み原稿の裏面に済みスタンプを押印する機能を備えた機種では、ユーザがＦＡＸ送信済み原稿の表面（原稿面）のみを見て済みスタンプ無しと判断し、誤って再送信してしまうことがあるため、済みスタンプの有無をスタンプ検出部で検出し、検出したときは本原稿がＦＡＸ送信済みであるメッセージを表示部に表示してユーザに報知することにより、ＦＡＸ送信済み原稿の再送信（誤送信）を防止するようにした技術が提案されている（たとえば、特許文献１参照）。
【０００４】
【特許文献１】特開平９−９３３８０号公報
【発明の開示】
【発明が解決しようとする課題】
【０００５】
ＦＡＸ送信において、原稿が正常に送信されない原因としては、
（１）原稿のマルチフィード（重送）により、次ページ以降の１枚または複数枚の原稿が送信ページの原稿と共にスキャンされる「読み飛ばし」
（２）ＦＡＸ送信中の「通信エラー」
（３）原稿の画像データを保存するメモリが容量オーバーとなる「メモリフル」
などが挙げられる。
【０００６】
これらＦＡＸ送信異常の原因に対し、たとえば、２枚の原稿がマルチフィードされた場合、１枚目の原稿は読み取られてＦＡＸ送信されるが済みスタンプは押印されず、実際には読み取られていない２枚目の原稿の裏面に済みスタンプが押印されるので、仮にユーザが済みスタンプの有無を判断基準として再送信すべき原稿を特定しようとしても、正確な特定は難しくなる。特に上記（１）〜（３）のＦＡＸ送信異常が複合して起きた場合には、再送信対象の原稿を特定するのが極めて難しくなり、複雑な作業になる。
【０００７】
また特許文献１の技術は、済みスタンプを検出した原稿に対してＦＡＸ送信済みの表示を行うが、原稿のマルチフィードが発生した場合は、上記のようにＦＡＸ送信済み原稿の裏面には済みスタンプが押印されず、ＦＡＸ未送信原稿の裏面に済みスタンプが押印される現象が起こるため、済みスタンプの有無を検出して表示するだけでは再送信対象の原稿を正しく特定することはできない。
【０００８】
本発明は、上記の問題を解決しようとするものであり、マルチフィードや処理エラーなどが生じたために読み取り直して再処理する必要のある原稿を自動で特定することができる原稿読取装置を提供することを目的としている。また、両面原稿の場合には読み取り直して再処理する必要のある原稿面を自動で特定することができる原稿読取装置を提供することを目的としている。
【課題を解決するための手段】
【０００９】
かかる目的を達成するための本発明の要旨とするところは、次の各項の発明に存する。
【００１０】
［１］複数枚の原稿からなる原稿群の各原稿の表裏面を読み取る読取手段と、
前記読取手段で読み取った前記各原稿の裏面に識別マークを付与する識別マーク付与手段と、
前記読取手段で読み取った前記原稿群の再読み取りを設定する再読取設定手段と、
前記再読取設定手段によって再読み取りが設定されている場合に、前記読取手段で読み取った前記各原稿の裏面における識別マークの状況に応じて再処理対象の原稿を特定する原稿特定手段と、
を有する
ことを特徴とする原稿読取装置。
【００１１】
上記発明では、複数枚の原稿からなる原稿群に対して、読取手段は各原稿の表面（原稿面）を読み取り、識別マーク付与手段は読取手段で読み取られた各原稿の裏面に識別マークを付与する。また、再読取設定手段によって再読み取りを行う設定にされている場合には、原稿特定手段は読取手段による各原稿の裏面の読み取りで得られた識別マークの状況に応じて、再処理を行う必要のある原稿、すなわち、再処理対象の原稿を特定する。
【００１２】
なお、上記の識別マークの状況とは、たとえば、各原稿の識別マークの有無や種類、連続する複数枚の原稿の間で識別マークの有無や種類がどのように配列されているかといった配列パターンなどが含まれる。また、再処理対象の原稿とは、原稿を読み取って原稿画像を電子データ化するスキャナ装置に本原稿読取装置を適用する場合には、読取エラーなどになった原稿を指し、原稿群を読み取ってファクシミリ送信するファクシミリ装置などに本原稿読取装置を適用する場合には、送信エラーなどになった原稿（未送信原稿）を指し、原稿を読み取って原稿画像を電子データ化し保存する電子保存装置などに本原稿読取装置を適用する場合には、データ保存エラーなどになった原稿を指す。すなわち、上記の再処理には、読取エラーとなった原稿の再読み取り、送信エラーとなった原稿の再送信、データ保存エラーとなった原稿の再データ保存などの処理が含まれる。
【００１３】
これにより、たとえば、（１）原稿読み取り時のマルチフィードによる読み飛ばし、（２）原稿自体の処理エラー、（３）読み取った原稿（原稿面）のデータを保存する記憶媒体の容量オーバーによるデータ保存エラー、などの異常が単独または複合して発生した場合でも、再処理を行う必要のある原稿が正確に特定できる。また、再読取設定手段を通して再読み取りを行う設定にし、原稿を読み取らせるだけで、各原稿の裏面に付与された識別マークの読み取り結果（状況）を基に、再処理対象の原稿が自動で特定される。
【００１４】
［２］前記再読取設定手段によって再読み取りが設定されている場合に、前記識別マークが裏面に付与されていない原稿を読み取ったとき、その原稿の次ページの原稿を前記再処理対象の原稿に特定する
ことを特徴とする［１］に記載の原稿読取装置。
【００１５】
上記発明では、原稿群の再読み取りで、識別マークが原稿の裏面から読み取られなかった場合には、その原稿の次ページの原稿は、当初の読み取り時にマルチフィードされて読み飛ばされているため、再処理対象の原稿に特定する。また、マルチフィードは連続する３ページ以上に跨って発生することもあり、その場合は裏面に識別マークの無い原稿が連続して複数ページ現れるが、その複数ページのうちの先頭ページの原稿だけが正常に読み取られた状態となる。このような３ページ以上が重なって搬送されるマルチフィードにおいても、識別マークの無い原稿の次ページの原稿を再処理対象にすることをページ毎に繰り返し行うことで、再処理すべき原稿を、すなわち、先頭ページの原稿の次ページの原稿から識別マークの有る原稿までが再処理対象であると、正確に特定することができる。
【００１６】
［３］前記再読取設定手段によって再読み取りが設定されている場合に、処理エラーを示す識別マークが裏面に付与されている原稿を読み取ったとき、その原稿を前記再処理対象の原稿に特定する
ことを特徴とする［１］に記載の原稿読取装置。
【００１７】
上記発明では、原稿群の再読み取りで、原稿が正常に処理（読み取り、ＦＡＸ送信、データ保存など）されていない処理エラーを示す識別マークが原稿の裏面から読み取られた場合には、その原稿自体が処理されていないため、再処理対象の原稿に特定する。
【００１８】
［４］前記再読取設定手段によって再読み取りが設定されている場合に、処理エラーを示す識別マークが裏面に付与されている原稿を読み取ったとき、その原稿の手前に連なる識別マークの付与されていない原稿の中の先頭ページを前記再処理対象の原稿に特定する
ことを特徴とする請求項［１］に記載の原稿読取装置。
【００１９】
上記発明では、原稿群の再読み取りで、途中ページの原稿から処理エラーを示す識別マークが読み取られ、その原稿から連なる前ページの原稿で識別マークが読み取られなかった場合、処理エラーを示す識別マークはその途中ページの原稿の手前に連なる識別マークが無い原稿の先頭ページに対する処理状況を表しているため、その先頭ページの原稿を再処理対象の原稿に特定する。なお、先頭ページの次ページから処理エラーを示す識別マークが付与された原稿まではマルチフィードされた原稿であるため、［２］の処理にて再処理対象の原稿に特定される。
【００２０】
［５］前記再読取設定手段によって再読み取りが設定されている場合に、処理エラーを示す識別マークが裏面に付与されている原稿を読み取った後、次ページ以降のすべての原稿の裏面に識別マークがなかったときは、前記処理エラーを示す識別マークが裏面に付与されている原稿以降の全原稿を前記再処理対象の原稿に特定する
ことを特徴とする［１］乃至［４］のいずれか１項に記載の原稿読取装置。
【００２１】
上記発明では、原稿群の再読み取りで、処理エラーを示す識別マークが裏面に付与されている原稿を読み取った後、その原稿の次ページ以降のすべての原稿で識別マークが読み取られなかった場合には、原稿の画像データを保存する記憶媒体の容量オーバーなどにより、上記の処理エラーを示す識別マークが付与された原稿から最終ページの原稿までは読み飛ばされている。そのため、処理エラーを示す識別マークが付与された原稿以降の全ページの原稿を再処理対象の原稿に特定する。これにより、処理エラー後に読み飛ばされた原稿を正確に特定することができる。
【００２２】
［６］前記識別マークには、片面原稿に使用される片面識別マークと、両面原稿に使用される両面用識別マークとがあり、
前記原稿特定手段は、前記読取手段によって読み取った識別マークが前記片面識別マークであると判別した場合に前記再処理対象の原稿の特定を行う
ことを特徴とする［１］乃至［５］のいずれか１項に記載の原稿読取装置。
【００２３】
上記発明では、原稿の再読み取り時には原稿に付与された識別マークの種類に基づいて片面原稿であることが自動で判別されるため、たとえば、再読み取りする原稿の種類をユーザが予め手入力して設定するような操作が不要となる。
【００２４】
［７］複数枚の原稿からなる原稿群の各原稿の表裏面を読み取る読取手段と、
前記読取手段で読み取った前記各原稿の裏面に識別マークを付与する識別マーク付与手段と、
前記読取手段で読み取った前記原稿群の再読み取りを設定する再読取設定手段と、
前記再読取設定手段によって再読み取りが設定されている場合に、前記読取手段で読み取った前記各原稿の裏面における識別マークの状況に応じて再処理対象の原稿面を特定する原稿特定手段と、
を有する
ことを特徴とする原稿読取装置。
【００２５】
上記発明では、複数枚の原稿からなる原稿群に対して、読取手段は各原稿の表裏面（原稿面）を読み取り、識別マーク付与手段は読取手段で読み取られた各原稿の裏面に識別マークを付与する。また、再読取設定手段によって再読み取りを行う設定にされている場合には、原稿特定手段は読取手段による各原稿の裏面の読み取りで得られた識別マークの状況に応じて、再処理を行う必要のある原稿面、すなわち、再処理対象の原稿面を特定する。
【００２６】
なお、上記の識別マークの状況や再処理対象の原稿面については、［１］に対して記載した内容を同様に適用することができる。
【００２７】
これにより、たとえば、（１）原稿読み取り時のマルチフィードによる読み飛ばし、（２）原稿自体の処理エラー、（３）読み取った原稿（原稿面）のデータを保存する記憶媒体の容量オーバーによるデータ保存エラー、などの異常が単独または複合して発生した場合でも、再処理を行う必要のある原稿面を正確に特定できる。また、再読取設定手段を通して再読み取りを行う設定にし、原稿を読み取らせるだけで、各原稿の裏面に付与された識別マークの読み取り結果（状況）を基に、再処理対象の原稿面が自動で特定される。
【００２８】
［８］前記再読取設定手段によって再読み取りが設定されている場合に、前記識別マークが裏面に付与されていない原稿を読み取ったとき、その原稿の裏面と次ページの原稿の表面とを前記再処理対象の原稿面に特定する
ことを特徴とする［７］に記載の原稿読取装置。
【００２９】
上記発明では、原稿群の再読み取りで、識別マークが原稿の裏面から読み取られなかった場合には、その原稿の裏面と次ページの原稿の表面は、当初の読み取り時にマルチフィードされて読み飛ばされているため、その原稿の裏面と次ページの原稿の表面とを再処理対象の原稿面に特定する。また、マルチフィードは連続する３ページ以上に跨って発生することもあり、その場合は裏面に識別マークの無い原稿が連続して複数ページ現れるが、その複数ページのうちの先頭ページの原稿の表面と最終ページの原稿の裏面だけが正常に読み取られた状態となる。このような３ページ以上が重なって搬送されるマルチフィードにおいても、識別マークの無い原稿の裏面と次ページの原稿の表面とを再処理対象にすることをページ毎に繰り返し行うことで、再処理すべき原稿面を、すなわち、先頭ページの原稿の裏面から識別マークの有る原稿の表面までが再処理対象であると、正確に特定することができる。
【００３０】
［９］前記再読取設定手段によって再読み取りが設定されている場合に、表裏面の少なくともいずれかの処理エラーを示す識別マークが裏面に付与されている原稿を読み取ったとき、その原稿のうち前記識別マークが処理エラーを示す面を前記再処理対象の原稿面に特定する
ことを特徴とする［７］に記載の原稿読取装置。
【００３１】
上記発明では、原稿群の再読み取りで、原稿の表裏面の少なくともいずれかが正常に処理（読み取り、ＦＡＸ送信、データ保存など）されていない処理エラーを示す識別マークが原稿の裏面から読み取られた場合には、その処理エラーの示す面自体が処理されていないため、再処理対象の原稿面に特定する。
【００３２】
［１０］前記再読取設定手段によって再読み取りが設定されている場合に、表面の処理エラーを示す識別マークが裏面に付与されている原稿を読み取ったとき、その原稿の手前に連なる識別マークの付与されていない原稿の中の先頭ページの表面を前記再処理対象の原稿面に特定する
ことを特徴とする［７］に記載の原稿読取装置。
【００３３】
上記発明では、原稿群の再読み取りで、途中ページの原稿から表面の処理エラーを示す識別マークが読み取られ、その原稿から連なる前ページの原稿で識別マークが読み取られなかった場合、処理エラーを示す識別マークはその識別マークの付与された原稿の手前に連なる識別マークが無い原稿の先頭ページの表面に対する処理状況を表しているため、その先頭ページの原稿の表面を再処理対象の原稿面に特定する。なお、先頭ページの次ページから処理エラーを示す識別マークが付与された原稿まではマルチフィードされた原稿であるため、先頭ページの裏面から処理エラーを示す識別マークが付与された原稿の表面までは［７］の処理にて再処理対象の原稿面に特定される。
【００３４】
［１１］前記再読取設定手段によって再読み取りが設定されている場合に、表裏面の処理エラー、または、裏面の処理エラー、または、表面は処理エラーでかつ裏面は未処理、を示す識別マークが裏面に付与されている原稿を読み取った後、次ページ以降のすべての原稿の裏面に識別マークがなかったときは、前記処理エラーを示す識別マークが裏面に付与されている原稿のうち前記識別マークが処理エラーを示す面および前記識別マークが未処理を示す面と、その原稿以降の全原稿の表裏面とを前記再処理対象の原稿面に特定する
ことを特徴とする［７］乃至［１０］のいずれか１項に記載の原稿読取装置。
【００３５】
上記発明では、原稿群の再読み取りで、表裏面の処理エラー、または、裏面の処理エラー、または、表面は処理エラーでかつ裏面は未処理、を示す識別マークが裏面に付与されている原稿を読み取った後、その原稿の次ページ以降のすべての原稿で識別マークが読み取られなかった場合には、原稿の画像データを保存する記憶媒体の容量オーバーなどにより、上記の処理エラーとなった面から最終ページの原稿の裏面までは読み飛ばされている。そのため、処理エラーを示す識別マークが裏面に付与されている原稿のうち識別マークが処理エラーを示す面および識別マークが未処理を示す面（表裏面または裏面）と、その原稿の次ページ以降の全原稿の表裏面とを再処理対象の原稿面に特定する。これにより、処理エラー後に読み飛ばされた原稿面を正確に特定することができる。
【００３６】
［１２］前記識別マークには、片面原稿に使用される片面識別マークと、両面原稿に使用される両面用識別マークとがあり、
前記原稿特定手段は、前記読取手段によって読み取った識別マークが前記両面識別マークであると判別した場合に前記再処理対象の原稿面の特定を行う
ことを特徴とする［７］乃至［１１］のいずれか１項に記載の原稿読取装置。
【００３７】
上記発明では、原稿の再読み取り時には原稿に付与された識別マークの種類に基づいて両面原稿であることが自動で判別されるため、たとえば、再読み取りする原稿の種類をユーザが予め手入力して設定するような操作が不要となる。
【００３８】
［１３］前記読取手段は、前記原稿の表面を読み取る第１の読取手段と、前記原稿の裏面を読み取る第２の読取手段と、で構成されている
ことを特徴とする［１］乃至［１２］のいずれか１項に記載の原稿読取装置。
【発明の効果】
【００３９】
本発明に係る原稿読取装置によれば、マルチフィードや処理エラーなどが生じたために読み取り直して再処理する必要のある原稿を自動で特定することができる。また、両面原稿の場合には、マルチフィードや処理エラーなどが生じたために読み取り直して再処理する必要のある原稿面を自動で特定することができる。
【発明を実施するための最良の形態】
【００４０】
以下、図面に基づき本発明の実施の形態を説明する。
【００４１】
[第１の実施の形態] 
第１の実施の形態では、片面原稿を処理する場合について説明する。図１は、本発明の実施の形態に係る原稿読取装置１１を備えた画像形成装置１０の構成を制御ブロック図で示している。画像形成装置１０は、原稿を読み取って対応する画像を記録紙上に形成して出力するコピー機能のほかスキャナ機能、プリンタ機能、ファクシミリ機能などを備えたデジタル複合機として構成されている。また、原稿を読み取って得た画像データを圧縮して保存する機能、保存している画像データを電子メールやＦＴＰ（File Transfer Protocol）を用いて外部の装置に送信する機能、保存している画像を呼び出してプリントする機能を有する。さらに、原稿を読み取ってファクシミリ送信（ＦＡＸ送信）する際に、正常に送信されたか否かを識別するための識別マークとしてのスタンプを原稿の裏面に押印（付与）する機能（済みスタンプ機能）、正常にＦＡＸ送信されなかったＦＡＸ未送信のため再送信する必要のある原稿を自動で特定し再送信する機能（以下、この機能の動作モードを「再送モード」と呼ぶ。）などを備えている。
【００４２】
このような機能を実現するために画像形成装置１０は、操作部１２と、システム制御部１３と、エンジン制御部１４と、原稿読取光学系１５と、自動原稿送り装置（Auto Document Feeder；ＡＤＦ）１６と、プリンタエンジン１７と、フィニッシャ１８とを備えている。
【００４３】
操作部１２は、各種操作画面や案内画面を表示するタッチパネル式の表示部１９を備えており、ユーザから各種操作を表示部１９を通して受け付け、その操作情報をシステム制御部１３へ出力するよう構成されている。ユーザから受け付ける操作には、コピーやＦＡＸ送信などに関する操作の他に、ＦＡＸ送信における済みスタンプ機能の設定／解除や再送モードの設定／解除の操作が含まれる。操作部１２は、ＦＡＸ送信において読み取った原稿（原稿群）の再読み取り（再送モードのオン／オフ）を設定する再読取設定手段としての機能を備えている。
【００４４】
システム制御部１３は、画像形成装置１０全体の動作を統括制御する中央処理装置としてのＣＰＵ（Central Processing Unit）２０を備えている。システム制御部１３のＣＰＵ２０は、操作部１２または遠隔操作を行う外部装置からの操作情報などに基づいて、装置全体の動作制御を行うよう構成されている。また、システム制御部１３は、ＦＡＸ送信にて再送モードが設定されている場合に、ＦＡＸ未送信となったため再送信する必要のある原稿（再処理対象の原稿）を特定する原稿特定手段としての機能を備え、更にその特定した原稿を再送信するよう各部を制御する機能を備えている。
【００４５】
図２は、システム制御部１３の主要な回路構成を示している。システム制御部１３のＣＰＵ２０には、バス２１を介してＣＰＵメモリ２２、FlashＲＯＭ（Flash Read Only Memory）／ＨＤＤ（Hard Disk Drive）２３、ＮＶＲＡＭ（NonVolatile Random Access Memory）２４が接続されており、バス２５を介して画像メモリ２６、画像処理ＡＳＩＣ(Application Specific Integrated Circuit)２７、画像回転ＡＳＩＣ２８、画像圧縮／伸張ＡＳＩＣ２９、ＤＭＡ（Direct Memory Access）コントローラ３０、ＦＡＸユニット３１が接続されている。また画像処理ＡＳＩＣ２７には、ＣＣＤ（Charge Coupled Device）イメージセンサ／ＬＤ（Laser Diode）３２が接続されている。
【００４６】
ＣＰＵメモリ２２は、ＣＰＵ２０が実行するプログラムの格納やＣＰＵ２０がプログラムを実行する際のワークメモリなどに使用される揮発性のメモリである。
【００４７】
FlashＲＯＭ／ＨＤＤ２３におけるFlashＲＯＭは、小容量ストレージデバイスとして構成され、制御プログラムの格納や汎用オペレーティング・システムのプログラムの格納などに使用される。画像形成装置１０は、立ち上げ時に起動プログラムを実行することで、FlashＲＯＭ内のプログラムがＣＰＵメモリ２２に展開されて動作するようになっている。またＨＤＤは、大容量ストレージデバイスとして構成され、画像データの格納などに使用される。
【００４８】
ＮＶＲＡＭ２４は、電源がオフしても記憶内容が保持されるメモリである。ＮＶＲＡＭ２４には、装置固有の各種パラメータなど、電源オフ後も保存すべき所定のデータが記憶される。
【００４９】
画像メモリ２６は、圧縮された画像データの保存に使用される揮発性のメモリである。また、ＦＡＸ送信する原稿の画像データを一時的に保存するメモリとしても機能するよう構成されている。
【００５０】
画像処理ＡＳＩＣ２７は、ＣＣＤユニット／プリンタユニット３２に対して入出力される画像データに各種画像処理を施す機能を備えている。
【００５１】
画像回転ＡＳＩＣ２８は、画像データの回転処理を行う機能を備えている。画像圧縮／伸張ＡＳＩＣ２９は、画像データを画像メモリ２６に格納するための圧縮処理と、圧縮された画像データを伸張して元のサイズに戻す伸張処理を行う機能を備えている。
【００５２】
ＤＭＡコントローラ３０は、画像メモリ２６の内容をＮＶＲＡＭ２４へ転送する機能を果たす。ＣＰＵ２０は、ＤＭＡコントローラ３０を通じて画像メモリ２６にアクセスしてデータをリード／ライトできるようになっている。また、ＤＭＡコントローラ３０はＣＰＵメモリ２２と画像メモリ２６との間のデータ転送も可能に構成されている。
【００５３】
ＦＡＸユニット３１は、公衆回線３３を通して画像データをＦＡＸ送信および受信する機能を果たす。
【００５４】
ＣＣＤイメージセンサ／ＬＤ３２は、原稿画像を読み取る原稿読取光学系１５に設けられた読み取り素子であるＣＣＤイメージセンサと、レーザー方式のプリンタエンジン１７におけるレーザーユニットに設けられたＬＤである。ＣＣＤイメージセンサは、読み取った原稿の画像データを画像処理ＡＳＩＣ２７へ出力するよう構成されており、ＬＤは、画像形成を行うために、画像処理ＡＳＩＣ２７から入力された画像データに対応するレーザーを照射するよう構成されている。
【００５５】
原稿の読取動作では、ＣＣＤイメージセンサから出力された画像データは画像処理ＡＳＩＣ２７で各種の画像補正を施された後、画像圧縮／伸張ＡＳＩＣ２９に入力され、画像圧縮／伸張ＡＳＩＣ２９で圧縮処理を受けた後、ＤＭＡコントローラ３０によって画像メモリ２６に一旦格納される。
【００５６】
記録紙への出力動作においては、画像メモリ２６に格納されている画像データはＤＭＡコントローラ３０により読み出されて画像圧縮／伸張ＡＳＩＣ２９に入力され、画像圧縮／伸張ＡＳＩＣ２９で伸張処理を受けた後、必要に応じて画像回転ＡＳＩＣ２８に入力され、画像回転ＡＳＩＣ２８で回転処理を受け、画像処理ＡＳＩＣ２７を経てＬＤへ出力された後、記録紙上に画像形成される。
【００５７】
このほか、バス２１には、図２では不図示の操作部１２、ＬＡＮ（Local Area Network）を通じて外部装置と通信する不図示の通信制御部などが接続されている。
【００５８】
図１に示すエンジン制御部１４は、画像形成にかかわる機構部の動作制御を分担するＣＰＵ３４を備えている。システム制御部１３のＣＰＵ３４は、システム制御部１３のＣＰＵ２０と動作コマンドやステータスの通信を行ない、ＣＰＵ２０からの指示に基づいて、原稿読取光学系１５、自動原稿送り装置１６、プリンタエンジン１７、フィニッシャ１８などの動作制御を行って原稿の読み取りや画像形成動作を制御するよう構成されている。
【００５９】
図３は、原稿読取光学系１５および自動原稿送り装置１６の構成を示している。
【００６０】
原稿読取光学系１５は、原稿の表面（原稿面）を読み取るための第１の読取光学系３５と、原稿の裏面を読み取るための第２の読取光学系３６とで構成されており、原稿の表裏面を読み取る読取手段としての機能を備えている。
【００６１】
第１の読取光学系３５は、自動原稿送り装置１６の下側に配置されており、読み取り素子がＣＣＤイメージセンサで構成され、原稿からの光Ｌを複数の反射ミラー３７とレンズ３８によってＣＣＤイメージセンサに導く光学縮小方式とされている。第１の読取光学系３５は、ＣＣＤイメージセンサで読み取った原稿表面の画像データをエンジン制御部１４を通してシステム制御部１３へ出力するよう構成されている（図１参照）。
【００６２】
第２の読取光学系３６は、自動原稿送り装置１６に取り付けられており、読み取り素子がＣＩＳ（Contact Image Sensor）で構成された密着センサー方式とされている。第２の読取光学系３６は、ＣＩＳで読み取った原稿裏面の画像データをエンジン制御部１４を通してシステム制御部１３へ出力するよう構成されている（図１参照）。
【００６３】
自動原稿送り装置１６は、装置本体４０の上部に、コピーやＦＡＸ送信を行う原稿Ｍをセットするための原稿トレー４１が設けられ、装置本体４０の下部に、読み取られた原稿Ｍが排出される排出トレー４２が設けられている。
【００６４】
原稿トレー４１は、複数枚の原稿Ｍ（原稿群）が束状で積載可能とされており、原稿トレー４１の原稿送り出し側には、原稿トレー４１にセットされた原稿Ｍを１枚ずつ送り出すピックアップローラ４３が配置されている。ピックアップローラ４３の原稿送り出し側には、原稿トレー４１から送り込まれた原稿Ｍを第１の読取光学系３５による読取位置ＲＰ１へと導く搬入通路４４が延設されている。
【００６５】
第１の読取光学系３５による読取位置ＲＰ１は、ピックアップローラ４３の下方に配置されている。搬入通路４４は、ピックアップローラ４３から読取位置ＲＰ１へ向けて側方に湾曲するよう形成されており、搬入通路４４には、原稿Ｍを読取位置ＲＰ１側へ搬送する２対の搬送ローラ４５が通路に沿って配設されている。
【００６６】
原稿トレー４１から搬入通路４４に送り込まれた原稿Ｍは、搬入通路４４を通ることで紙面の向きが上下反転され、読取位置ＲＰ１では下側を向いた面（表面ＭＦ）が第１の読取光学系３５によって読み取られるようになっている。
【００６７】
読取位置ＲＰ１の原稿送り出し側には、読取位置ＲＰ１を通過した原稿Ｍを排出トレー４２へと導く搬出通路４６が延設されており、搬出通路４６には、原稿Ｍを排出トレー４２側へ搬送する１対の搬送ローラ４７および排出ローラ４８が通路に沿って配設されている。
【００６８】
搬出通路４６の上方には、搬出通路４６と略平行に延出された隔壁部４９が設けられている。搬出通路４６との対向する隔壁部４９の下面には、搬送ローラ４７と排出ローラ４８の略中間位置に、第２の読取光学系３６が搬出通路４６方向へ向けられて取り付けられている。
【００６９】
第２の読取光学系３６の光軸が搬出通路４６上と交差する箇所は、第２の読取光学系３６による読取位置ＲＰ２とされ、読取位置ＲＰ２では、搬出通路４６を通過する原稿Ｍの上側を向いた面（裏面ＭＲ）が第２の読取光学系３６によって読み取られるようになっている。
【００７０】
隔壁部４９の下面における排出ローラ４８の原稿送り出し側近傍には、スタンプ機構５０が取り付けられている。スタンプ機構５０は、ＦＡＸ送信にて済みスタンプ機能が設定された場合に作動し、排出ローラ４８によって排出トレー４２に排出される原稿Ｍに対して、原稿Ｍの上側を向いた面（裏面ＭＲ）にスタンプＳを押印するよう構成されている。
【００７１】
スタンプＳについては、第１の読取光学系３５によって原稿Ｍが読み取られ正常に処理完了したこと（ＦＡＸ送信完了）を示す正常スタンプ（ＳＡ）と、正常に処理完了しなかったこと（ＦＡＸ未送信）を示す異常スタンプ（ＳＢ）の２種類が用意されている（図４参照）。スタンプ機構５０は、済みスタンプ機能が設定されている際に、第１の読取光学系３５によって表面ＭＦが読み取られ正常に処理完了した原稿Ｍに対しては裏面ＭＲに正常スタンプを押印し、正常に処理完了しなかった原稿Ｍに対しては裏面ＭＲに異常スタンプを押印するよう動作する識別マーク付与手段としての機能を備えている。
【００７２】
なお、済みスタンプ機能が設定されている状態で行われるＦＡＸ送信は、原稿を読み取りながら同時にＦＡＸ送信を行うリアルタイム送信で実行され、済みスタンプ機能が設定されていない状態で行われるＦＡＸ送信は、読み取った原稿の画像データを画像メモリ２６に一旦保存し、保存した内容をＦＡＸ送信するメモリ送信で実行される。
【００７３】
図１に示すプリンタエンジン１７は、入力された画像データに対応する画像を電子写真プロセスによって記録紙上に形成して出力する画像形成部として機能し、図示しない、記録紙の搬送装置と、感光体ドラムと、帯電装置と、レーザーユニットと、現像装置と、転写分離装置と、クリーニング装置と、定着装置などを備えた、いわゆるレーザープリンタとして構成されている。
【００７４】
フィニッシャ１８は、プリンタエンジン１７によって画像が形成された記録紙に穴あけ、綴じ、折りなどの後処理を施す機能を備えている。
【００７５】
また、本実施の形態に係る原稿読取装置１１は、再読取設定手段としての操作部１２と、読取手段としての原稿読取光学系１５と、識別マーク付与手段としてのスタンプ機構５０を有する自動原稿送り装置１６と、原稿特定手段としてのＣＰＵ２０を有するシステム制御部１３とを含んで構成されている。
【００７６】
次に、上記構成の画像形成装置１０が備える原稿読取装置１１による原稿の読み取り動作と、再処理対象（ＦＡＸ未送信）の原稿を自動で特定し再送信する動作について説明する。
【００７７】
原稿読取装置１１による原稿の読み取りでは、図３に示すように、ユーザが自動原稿送り装置１６の原稿トレー４１上に、複数ページからなる原稿Ｍの束（原稿群）を表面ＭＦを上側に向けてセットし、操作部１２（図１参照）を通してスキャン／コピー／ＦＡＸ送信の操作を行うと、原稿Ｍの自動読み取りが開始される。
【００７８】
まず、自動原稿送り装置１６のピックアップローラ４３が時計回転方向へ回転し、最上ページの原稿１枚をピックアップして搬入通路４４へ送り込む。搬入通路４４では２対の搬送ローラ４５が所定方向へ回転して原稿Ｍを下方へ搬送する。搬入通路４４を湾曲しながら下方へ搬送される原稿Ｍは、読取位置ＲＰ１では表面ＭＦが下側に向けられ、読取位置ＲＰ１を通過する際に表面ＭＦの画像（原稿画像）が第１の読取光学系３５によって読み取られる。
【００７９】
読取位置ＲＰ１を通り抜けた原稿Ｍの先端側は、搬出通路４６側へ送り出され、搬出通路４６では搬送ローラ４７および排出ローラ４８が所定方向へ回転し、原稿Ｍを排出トレー４２へ排出する。
【００８０】
以下、次ページ以降の原稿Ｍに対しても、同様の読み取り動作が繰り返し行われ、最終ページの原稿Ｍの読み取りが完了すると、原稿群の読み取り動作が終了する。この原稿群の読み取りがＦＡＸ送信における動作であった場合には、システム制御部１３のＣＰＵ２０はＦＡＸユニット３１を制御して、読み取られた原稿群の画像データを公衆回線３３を通じて外部装置へＦＡＸ送信する。
【００８１】
また、ＦＡＸ送信を行う際にユーザが済みスタンプ機能を設定している場合には、ＦＡＸ送信が完了して正常に処理された原稿Ｍに対しては、排出トレー４２へ排出される直前に、スタンプ機構５０によって原稿Ｍの裏面ＭＲに正常スタンプ（ＳＡ）が押印される。ＦＡＸ送信中の「通信エラー」（エラー発生ページ以降の送信を中止せずに継続処理する）や、原稿Ｍの画像データを保存する画像メモリ２６が容量オーバーとなる「メモリフル」が発生してＦＡＸ送信が完了せず正常に処理されなかった原稿Ｍに対しては、スタンプ機構５０によって原稿Ｍの裏面ＭＲに異常スタンプ（ＳＢ）が押印される。
【００８２】
また、中断を必要とする「通信エラー」や「メモリフル」が発生したときは、次ページ以降の全ページは読み取り動作が中止されスタンプＳが押印されずに排出トレー４２へ排出される。
【００８３】
さらに、ユーザはＦＡＸ未送信のページを再送信したい場合は、済みスタンプ機能を用いてＦＡＸ送信した原稿群を、再度、自動原稿送り装置１６の原稿トレー４１にセットし再送モードを設定して読み取りの開始操作を行う。この再送モードによる原稿の読み取りでは、スタンプ機構５０が動作停止し、原稿群はページ順に表裏面が自動で読み取られる。すなわち、各原稿Ｍは、読取位置ＲＰ１を通過する際に表面ＭＦの画像が第１の読取光学系３５によって読み取られ、読取位置ＲＰ２を通過する際に裏面ＭＲの画像（スタンプＳの有無および種類）が第２の読取光学系３６によって読み取られる。
【００８４】
第２の読取光学系３６によって読み取られた各原稿Ｍの裏面ＭＲの画像データは、システム制御部１３のＣＰＵ２０へ送られ、ＣＰＵ２０は、各原稿Ｍの裏面ＭＲに押印されたスタンプＳの状況に応じて再送信する原稿Ｍを特定し再送信を行うようＦＡＸユニット３１などを制御する。
【００８５】
以下に、複数ページの原稿Ｍに押印されるスタンプＳのパターンについて詳細に説明する。
【００８６】
図４〜９は、複数ページの原稿ＭにおけるスタンプＳのパターンの例を、ページ数が３ページまたは４ページの原稿群の場合で示している。なお、図４〜９におけるスタンプパターンの表し方としては、図４の「図の見方」に示すように、各ページの原稿Ｍを裏面ＭＲ側から見た状態で、紙面の奥側から手前側に向けてページ１、ページ２、ページ３、（ページ４）とし、「正常スタンプ」（ＳＡ）はページ３の裏面ＭＲの下端部に有るように「●」で示し、「スタンプ無し」はページ２の裏面ＭＲの下端部に有るように表示無しで示し、「異常スタンプ」（ＳＢ）はページ１の裏面ＭＲの下端部に有るように「○」で示している。また原稿ＭのＦＡＸ送信状態については、ＦＡＸ送信済み（正常）は「送信済み」とし、ＦＡＸ未送信（異常）は「未送信」としている。スタンプパターンの種類については、以下のＡ〜Ｆの現象で分類分けし５８種類を例示している。
【００８７】
Ａ：正常送信
Ｂ：原稿マルチフィード
Ｃ：通信エラー（エラー発生ページで送信中止）またはメモリフル
Ｄ：通信エラー（エラー発生ページ以外を送信）
Ｅ：原稿マルチフィードと通信エラー（エラー発生ページで送信中止）またはメモリフルの複合
Ｆ：原稿マルチフィードと通信エラー（エラー発生ページ以外を送信）の複合
また、図１０〜１３は、図４〜９に示したスタンプパターンについて、種類、ＦＡＸ送信完了ページNo、ＦＡＸ再送信対象ページNo、備考（症状）を対応させて一覧表に示したものである。
【００８８】
たとえば、複数ページの原稿Ｍが全て正常にＦＡＸ送信された場合は、図４（Ａ）に示すように、各ページ（ページ１〜４）の原稿Ｍの裏面ＭＲには正常スタンプＳＡ「●」が押印される。
【００８９】
原稿Ｍのマルチフィードが発生した場合には、図４（Ｂ−１）〜（Ｂ−６）に示すように、裏面ＭＲにスタンプＳの無いページが発生する。たとえば、図４（Ｂ−４）に示すように、全４ページの原稿にてマルチフィードがページ２，３で発生した場合は、ページ２がスタンプ無しとなり、ＦＡＸ送信が完了したのはページ１，２，４で、ＦＡＸ未送信はページ３となる（図１０のスタンプパターン（Ｂ−４）参照）。また、図４（Ｂ−５）に示すように、全４ページの原稿にてマルチフィードがページ２，３，４で発生した場合は、ページ２，３がスタンプ無しとなり、ＦＡＸ送信が完了したのはページ１，２で、ＦＡＸ未送信はページ３，４となる（図１０のスタンプパターン（Ｂ−５）参照）。
【００９０】
すなわち、裏面にスタンプＳが押印されていない原稿（Ｍ１）は、その裏面側に次のページの原稿（Ｍ２）が重なって搬送されていることになり、次のページの原稿（Ｍ２）の表面は、その手前に重なっている裏面にスタンプＳの押印されていない原稿（Ｍ１）の存在によって読み取られていないことになる。図４（Ｂ−２）、（Ｂ−３）、（Ｂ−５）のように複数ページがマルチフィードされた場合でも、各スタンプ無しのページについてそれぞれ同様の現象が生じている。そこで、スタンプ無しのページが在る場合は、スタンプ無しのページの次のページをＦＡＸ再送信の対象に特定する。
【００９１】
通信エラー（エラー発生ページで送信中止）またはメモリフルが発生した場合には、図５（Ｃ−１）〜（Ｃ−３）に示すように、通信エラーで送信中止またはメモリフルとなったページに異常スタンプＳＢ「○」が押印され、それ以降ページがある場合は、原稿画像の読み取りが行われずに排出されスタンプＳが無い状態となる。たとえば、図５（Ｃ−１）に示すように、全３ページの原稿にて通信エラー（エラー発生ページで送信中止）またはメモリフルがページ１で発生した場合は、ページ１に異常スタンプＳＢが押印され、ページ２，３がスタンプ無しとなり、ＦＡＸ未送信はページ１，２，３（全ページ）となる（図１０のスタンプパターン（Ｃ−１）参照）。
【００９２】
通信エラー（エラー発生ページ以外を送信）が発生した場合には、図５（Ｄ−１）〜（Ｄ−６）に示すように、通信エラーとなったページのみに異常スタンプＳＢが押印され、正常にＦＡＸ送信されたページには正常スタンプＳＡが押印される。たとえば、図５（Ｄ−１）に示すように、全３ページの原稿にて通信エラーがページ１のみで発生した場合は、ページ１に異常スタンプＳＢが押印され、ページ２，３には正常スタンプＳＡが押印された状態となり、ＦＡＸ未送信はページ１となる（図１０のスタンプパターン（Ｄ−１）参照）。
【００９３】
原稿マルチフィードと通信エラー（エラー発生ページで送信中止）またはメモリフルとが複合して発生した場合には、図６（Ｅ−１）〜（Ｅ−１１）に示すように、マルチフィードによりスタンプＳの無いページが発生すると共に、通信エラーまたはメモリフルが発生したページに異常スタンプＳＢ「○」が押印される。たとえば、図６（Ｅ−７）に示すように、全４ページの原稿にてマルチフィードがページ１，２，３で発生し、通信エラー（エラー発生ページで送信中止）またはメモリフルがページ３で発生した場合は、ページ３に異常スタンプＳＢが押印され、ページ１，２，４がスタンプ無しとなり、ＦＡＸ未送信はページ１，２，３，４（全ページ）となる（図１１のスタンプパターン（Ｅ−７）参照）。
【００９４】
通信エラーで送信中止もしくはメモリフルエラーが生じたときは、そのエラーの発生したページの裏面に異常スタンプＳＢを押印し、次ページ以降の全ページは読み取らずに排出されるようになっている。そこで、異常スタンプＳＢ後、最終ページまでスタンプ無しのページが連続する場合は、異常スタンプＳＢの押印されたページ以降の全ページをＦＡＸ再送信の対象に特定する。
【００９５】
原稿マルチフィードと通信エラー（エラー発生ページ以外を送信）とが複合して発生した場合には、図７〜図９の（Ｆ−１）〜（Ｆ−３１）に示すように、マルチフィードによりスタンプＳの無いページが発生すると共に、通信エラーが発生したページに異常スタンプＳＢ「○」が押印される。たとえば、図９（Ｆ−２３）に示すように、全４ページの原稿にてマルチフィードがページ１，２，３で発生すると共にそのマルチフィードされたページ１，２，３に対して通信エラー（エラー発生ページ以外を送信）が発生し、ページ４が送信完了した場合は、ページ１，２がスタンプ無しとなり、ページ３に異常スタンプＳＢが押印され、ページ４に正常スタンプＳＡが押印され、ＦＡＸ未送信はページ１，２，３となる（図１３のスタンプパターン（Ｆ−２３）参照）。
【００９６】
このように、原稿群のＦＡＸ送信では、上記Ｂ〜Ｆの症状に応じて正常／異常スタンプの有り無しの各種パターンが生じるが、この正常／異常スタンプの有無のみを単純に検出しただけでは、ＦＡＸ再送信対象の原稿を正確に特定することができない。たとえば、原稿マルチフィードと通信エラーが複合している（Ｅ−４）や（Ｆ−２２）の場合と、（Ｅ−７）、（Ｆ−２３）、（Ｆ−２４）などの場合とでは、マルチフィードによって共にページ１，２がスタンプ無しとなっているが、ページ１のＦＡＸ送信状況はページ３のスタンプＳの種類によって決まる。
【００９７】
すなわち、裏面にスタンプＳの押印された原稿とその手前に連続するスタンプＳの押印されていない原稿は一束となってマルチフィードされた原稿であり、この一束の先頭ページの表面は画像が読み取られ、この一束の最後のページの裏面に、先頭ページの表面の画像に対する処理結果を示すスタンプＳが押印されていることになる。したがって、一束の原稿（裏面にスタンプＳの押印された原稿とその手前に連続するスタンプＳの押印されていない原稿）のうちの最終ページの裏面に押印されたスタンプＳが正常スタンプＳＡであれば、この一束の先頭ページは正常に処理され、異常スタンプＳＢであればこの一束の先頭ページは正常に処理されていない異常ページであると判定することができる。
【００９８】
このように、原稿マルチフィードとＦＡＸ送信を継続または中止する通信エラーなどが複合した場合は、マルチフィードされた原稿の最終ページのスタンプＳの種類（正常／異常）によって、その手前に連続するスタンプ無しのページの先頭ページのＦＡＸ再送信の要否が決定する。
【００９９】
本実施形態の原稿読取装置１１では、片面原稿のＦＡＸ送信における再送モードで、
（１）裏面にスタンプが押印されていない原稿を読み取った場合は、その原稿の次ページの原稿を再送信対象に特定する「マルチフィード原稿特定処理」
（２）裏面に異常スタンプが押印されている原稿を読み取った場合は、その原稿を再送信対象に特定する「異常原稿特定処理」
（３）裏面に異常スタンプが押印されている原稿を読み取った場合は、その原稿の手前に連なるスタンプの押印されていない原稿の中の先頭ページの原稿を再送信対象に特定する「異常先頭ページ特定処理」
（４）裏面に異常スタンプが押印されている原稿を読み取った後、次ページ以降のすべての原稿の裏面にスタンプが無かったときは、異常スタンプが裏面に押印されている原稿以降の全ページの原稿を再送信対象に特定する「異常後続ページ特定処理」
といった（１）〜（４）の各処理を組み合わせることで、再送信対象の原稿を特定する。詳細には、以下に説明する処理を実行することで、上記（１）〜（４）の各処理を網羅する再送信対象原稿の自動的な特定と再送信を実現する。
【０１００】
図１４は、原稿読取装置１１によるＦＡＸ送信および済みスタンプ機能の動作の流れを示し、図１５は、ＦＡＸ送信における再送モードの動作の流れを示している。
【０１０１】
まず、再送モードを使用しない場合の基本的なＦＡＸ送信の動作を説明する。図１４に示すように、ＦＡＸ送信を行うための動作（送信ジョブ）が開始されると（Start）、システム制御部１３のＣＰＵ２０は、ユーザが設定を行う再送モードの有効／無効を判断し（ステップＳ１０１）、設定が有効な場合は（ステップＳ１０１；Ｙｅｓ）図１５のステップＳ１１７以下の処理を行い、設定が無効な場合は（ステップＳ１０１；Ｎｏ）図１４のステップＳ１０２以下の処理を行う。
【０１０２】
再送モードの設定が無効の場合は、ユーザが設定を行う済みスタンプ機能の有効／無効を判断し（ステップＳ１０２）、設定が有効な場合は（ステップＳ１０２；Ｙｅｓ）ステップＳ１０８以降の処理を行い、設定が無効な場合は（ステップＳ１０２；Ｎｏ）ステップＳ１０３以降の処理を行う。
【０１０３】
済みスタンプ機能が設定されていない場合は（ステップＳ１０２；Ｎｏ）メモリ送信で動作するため、原稿読取装置１１は原稿表面の画像を読み取り（ステップＳ１０３）、読み取った原稿表面の画像データを画像メモリ２６のメインメモリ領域に保存する（ステップＳ１０４）。
【０１０４】
続いて、画像メモリ２６が容量オーバーとなるメモリフルが発生したか否かを判断し（ステップＳ１０５）、メモリフルが発生した場合は（ステップＳ１０５；Ｙｅｓ）、たとえば表示部１９（図１参照）にメモリフル発生の表示を行いユーザに報知して本送信ジョブを中止する（End）。メモリフルが発生せず、読み取った原稿の画像データが正常に画像メモリ２６に保存された場合は（ステップＳ１０５；Ｎｏ）、読み取った原稿が最終ページであるか否かを判断する（ステップＳ１０６）。
【０１０５】
読み取った原稿が最終ページでない場合は（ステップＳ１０６；Ｎｏ）、ステップＳ１０３の処理へ戻る。読み取った原稿が最終ページであった場合は（ステップＳ１０６；Ｙｅｓ）、画像メモリ２６のメインメモリ領域に保存されている原稿全ページの画像データをＦＡＸ送信し（ステップＳ１０７）、送信完了後に本送信ジョブを終了する（End）。
【０１０６】
このステップＳ１０３からステップＳ１０７までの一連の処理で、メモリフルが発生しなければ原稿全ページが正常に読み取られてＦＡＸ送信される。
【０１０７】
一方、済みスタンプ機能が設定されている場合は（ステップＳ１０２；Ｙｅｓ）、原稿を読み取りながら同時にＦＡＸ送信を行うリアルタイム送信と、原稿のＦＡＸ送信状況（正常／異常）に応じたスタンプＳを押印するための動作を行う。
【０１０８】
まず、原稿１ページの表面の画像を読み取り（ステップＳ１０８）、読み取った原稿表面の画像データを画像メモリ２６のメインメモリ領域に保存する（ステップＳ１０９）。続いて、メモリフルが発生したか否かを判断し（ステップＳ１１０）、読み取った原稿の画像データが正常に画像メモリ２６に保存された場合は（ステップＳ１１０；Ｎｏ）、画像メモリ２６に保存されている原稿１ページの画像データをＦＡＸ送信し（ステップＳ１１１）、そのページのＦＡＸ送信が通信エラーなど起こらずに正常に終了したか否かを判断する（ステップＳ１１２）。
【０１０９】
ＦＡＸ送信が正常に終了した場合は（ステップＳ１１２；Ｙｅｓ）、原稿裏面に正常スタンプＳＡを押印し（ステップＳ１１３）、ＦＡＸ送信した原稿が最終ページであるか否かを判断する（ステップＳ１１４）。
【０１１０】
ＦＡＸ送信した原稿が最終ページでない場合は（ステップＳ１１４；Ｎｏ）ステップＳ１０８の処理へ戻る。ＦＡＸ送信した原稿が最終ページであった場合は（ステップＳ１１４；Ｙｅｓ）、本送信ジョブを終了する（End）。
【０１１１】
また、ステップＳ１１０でメモリフルが発生した場合（ステップＳ１１０；Ｙｅｓ）、あるいは、ステップＳ１１２で通信エラーが発生した場合は（ステップＳ１１２；Ｎｏ）、原稿裏面に異常スタンプＳＢを押印し（ステップＳ１１５）、次ページの原稿を継続してＦＡＸ送信可能か否かを判断する（ステップＳ１１６）。
【０１１２】
ＦＡＸ送信可能な通信エラーの場合は（ステップＳ１１６；Ｙｅｓ）、ステップＳ１０８の処理へ戻り、ＦＡＸ送信不可能な通信エラーまたはメモリフルの場合は（ステップＳ１１６；Ｎｏ）、たとえば表示部１９（図１参照）に通信エラー発生またはメモリフル発生の表示を行いユーザに報知して本送信ジョブを中止する（End）。
【０１１３】
このステップＳ１０８からステップＳ１１６までの一連の処理で、通信エラーまたはメモリフルが発生しなければ原稿全ページが正常に読み取られてＦＡＸ送信され、各原稿の裏面には正常スタンプＳＡが押印される。継続送信可能な通信エラーが発生した場合は、そのエラー発生ページの原稿の裏面に異常スタンプＳＢが押印される。また、ＦＡＸ送信中止とする通信エラーまたはメモリフルエラーが発生した場合は、エラー発生前の原稿までは正常に読み取られてＦＡＸ送信されると共に、送信完了した各原稿の裏面に正常スタンプＳＡが押印され、エラー発生以降の原稿はＦＡＸ送信されず、エラーが発生したページの原稿の裏面にのみ異常スタンプＳＢが押印される。
【０１１４】
次に、再送モードを使用する場合の流れを説明する。なお、スタンプＳの押印されていない原稿は、後続ページの原稿にて最初に現れるスタンプＳの種類によってＦＡＸ再送信の要否が決まるため、本実施形態では、画像メモリ２６の使用方法をメインメモリ領域とテンポラリメモリ領域に分けて制御を行い、メインメモリ領域には再送信が必要と決定された原稿の画像データを保存し、テンポラリメモリ領域にはＦＡＸ再送信が必要となる可能性のある原稿の画像データを一時的に保存するようにしている。
【０１１５】
すなわち、読み取ったページが裏面にスタンプＳの押印されていないページである場合は、そのページの画像データを画像メモリ２６のテンポラリメモリ領域に保存しておき、その後、スタンプＳの押印されたページを読み取ったとき、今回読み取ったスタンプＳの押印されているページとテンポラリメモリ領域に保存されているページとを一束にしてマルチフィードされたページ群として扱う。詳細には、今回読み取ったスタンプＳの押印されているページはマルチフィードされた一束のページ群の最終ページであり、テンポラリメモリ領域に保存されているページは、このスタンプＳの押印されたページの手前に連続するスタンプＳの押印されていないページになっている。
【０１１６】
そこで、スタンプＳの種類が正常スタンプＳＡの場合は、一束のページ群の中の先頭ページ、すなわちテンポラリメモリ領域内の先頭ページはＦＡＸ送信済みページとして扱う。また、スタンプＳの種類が異常スタンプＳＢの場合は、テンポラリメモリ領域内の先頭ページはＦＡＸ未送信ページとして扱い再送信の対象にする（異常先頭ページ特定処理）。
【０１１７】
また、テンポラリメモリ領域に保存されているページはいずれもスタンプＳの押印されていないページであるため、テンポラリメモリ領域に保存されている中の２ページ目以降、および、テンポラリメモリ領域に保存されている最後のページの次のページであるスタンプＳの押印されたページは、それぞれスタンプＳの押印されていないページの次のページになっている。そこで、テンポラリメモリ領域内の２ページ目以降およびスタンプＳの押印されたページを再送信の対象にしている（マルチフィード原稿特定処理）。
【０１１８】
また、スタンプＳの押印されていないページの画像データをテンポラリメモリ領域に保存する処理を繰り返しているうちに最終ページとなったときは、それらのページはメモリフルあるいはＦＡＸ送信中止となる通信エラーによって最終ページまで読み飛ばされたページであるため、テンポラリメモリ領域内のすべてのページを再送信の対象にしている（異常後続ページ特定処理）。このとき、テンポラリメモリ領域に保存されたページの直前のページは異常スタンプＳＢの押印されたページになっているはずであるため、そのページも再送信の対象にしている（異常原稿特定処理）。
【０１１９】
以下、本処理の各ステップを詳細に説明する。ＦＡＸ未送信原稿の自動再送信を行う場合、図１４に示すステップＳ１０１、ステップＳ１０２、およびステップＳ１０８〜ステップＳ１１６までの一連の処理を行った後に、ユーザは操作部１２を通して再送モードの設定を行い、原稿群を再度、原稿読取装置１１の原稿トレー４１にセットして原稿群の読み取りを開始する操作を行う（図１４のStart）。
【０１２０】
システム制御部１３のＣＰＵ２０は、再送モードの設定が有効であると判断し（ステップＳ１０１；Ｙｅｓ）、図１５に示すステップＳ１１７以下のＦＡＸ再送信（再送信ジョブ）を行うための処理を実行する。
【０１２１】
まず、前ページの済みスタンプ状態を保持するためのフラグをオンに設定する（ステップＳ１１７）。本処理で使用するフラグは、前ページがスタンプＳの押印されたページであるか否かを示しており、フラグ・オンは前ページが「スタンプ有り」であったことを示し（初期値）、フラグ・オフは前ページが「スタンプ無し」であったことを示す。
【０１２２】
今回読み取ったページがスタンプＳの押印されたページでかつ前のページもスタンプＳの押印されたページである場合は、今回読み取ったページはマルチフィードされていないページであることが判明し、そのページに押印されたスタンプＳはそのページのＦＡＸ送信状況を示している。そこで、今回読み取ったページがスタンプ有りの場合には前ページがスタンプ有りか否かをフラグによって確認し、フラグがセットされている（前ページ有りの）場合、今回読み取ったページに押印されたスタンプＳが正常スタンプＳＡであればそのページは正常にＦＡＸ送信されていると認識し、異常スタンプＳＢであればそのページを再送信の対象に確定するようにしている。
【０１２３】
次に、原稿読取装置１１は原稿表裏面の画像を同時に読み取り（ステップＳ１１８）、原稿裏面に押印されたスタンプＳの種類が異常スタンプＳＢ（エラー発生）であるか否かを判断し（ステップＳ１１９）、異常スタンプＳＢである場合は（ステップＳ１１９；Ｙｅｓ）、ステップＳ１２７の処理へ移行し、異常スタンプＳＢでない場合は（ステップＳ１１９；Ｎｏ）、原稿裏面に押印されたスタンプＳの種類が正常スタンプＳＡであるか否かを判断する（ステップＳ１２０）。
【０１２４】
正常スタンプＳＡの場合は（ステップＳ１２０；Ｙｅｓ）、ステップＳ１２１の処理へ移行し、正常スタンプＳＡではない場合はスタンプＳが存在しない状態となり、ステップＳ１２３の処理へ移行する。
【０１２５】
ステップＳ１２１では、前ページの済みスタンプ状態を保持するためのフラグがオンであるか否かを判断し、フラグ・オンの場合は（ステップＳ１２１；Ｙｅｓ）ＦＡＸ送信が正常に完了した原稿と判断し、ステップＳ１２６の処理へ移行する。フラグ・オフの場合は（ステップＳ１２１；Ｎｏ）ステップＳ１２２の処理へ移行する。
【０１２６】
一方、ステップＳ１２３では、ステップＳ１１９およびステップＳ１２０によって原稿裏面にスタンプＳの無いことが判明しているため、前ページの済みスタンプ状態を保持するためのフラグをオフに設定する。すなわち、フラグ・オフにすることで前ページはスタンプ無しであるとの状態を保持する。続いて、読み取った原稿表面の画像データを画像メモリ２６のテンポラリメモリ領域に保存し（ステップＳ１２４）、メモリフルが発生したか否かを判断する（ステップＳ１２５）。
【０１２７】
メモリフルが発生した場合は（ステップＳ１２５；Ｙｅｓ）、本再送信ジョブを中止するための後処理を行うために、ステップＳ１３６の処理を実行する。メモリフルが発生せず、読み取った原稿表面の画像データが正常に画像メモリ２６のテンポラリメモリ領域に保存された場合は（ステップＳ１２５；Ｎｏ）、ステップＳ１２６の処理へ移行する。
【０１２８】
ステップＳ１２６では、読み取った原稿が最終ページであるか否かを判断する。最終ページである場合は（ステップＳ１２６；Ｙｅｓ）、ＦＡＸ再送信を行うためにステップＳ１３７の処理へ移行し、最終ページではない場合は（ステップＳ１２６；Ｎｏ）ステップＳ１１８の処理へ戻る。
【０１２９】
このステップＳ１１７からステップＳ１２６までの一連の処理によって、読み取った原稿の裏面にスタンプＳが押印されてない場合は、その原稿の表面の画像データは画像メモリ２６のテンポラリメモリ領域に保存される。また、フラグ・オンでかつ読み取った原稿の裏面に正常スタンプＳＡが押印されていた場合は、その原稿の表面の画像データは正常に送信されているため画像メモリ２６のテンポラリメモリ領域にもメインメモリ領域にも保存されることなく消去される。
【０１３０】
ステップＳ１２７では、画像メモリ２６のテンポラリメモリ領域に画像データが有るか否かを判断する。画像データが有る場合は（ステップＳ１２７；Ｙｅｓ）、画像メモリ２６のテンポラリメモリ領域に存在する先頭１ページ分の画像データをメインメモリ領域にコピーし（ステップＳ１２８）、メモリフルが発生したか否かを判断する（ステップＳ１２９）。
【０１３１】
メモリフルが発生した場合は（ステップＳ１２９；Ｙｅｓ）、本再送信ジョブを中止するための後処理を行うために、ステップＳ１３６の処理を実行する。メモリフルが発生せず、テンポラリメモリ領域に存在する先頭１ページ分の画像データが正常にメインメモリ領域にコピーされた場合は（ステップＳ１２９；Ｎｏ）、その先頭１ページ分の画像データをテンポラリメモリ領域から削除して（ステップＳ１３０）、ステップＳ１２７の処理へ戻る。
【０１３２】
一方、ステップＳ１２１でフラグ・オフの場合は（ステップＳ１２１；Ｎｏ）、画像メモリ２６のテンポラリメモリ領域に画像データが有るか否かを判断する（ステップＳ１２２）。画像データが有る場合は（ステップＳ１２２；Ｙｅｓ）、ステップＳ１３０の処理へ移行し、テンポラリメモリ領域に存在する先頭１ページ分の画像データをテンポラリメモリ領域から削除して（ステップＳ１３０）、ステップＳ１２７の処理へ移行する。画像データが無い場合は（ステップＳ１２２；Ｎｏ）、ステップＳ１３１の処理へ移行する。
【０１３３】
ステップＳ１２７で画像メモリ２６のテンポラリメモリ領域に画像データが無い場合は（ステップＳ１２７；Ｎｏ）、すなわち、当初から画像データが無い場合、あるいは、当初は画像データが存在したがステップＳ１２８からステップＳ１３０までの処理を繰り返すことで当初の画像データがメインメモリ領域へコピーされた後にテンポラリメモリ領域から削除されて存在しなくなった場合は、今回の読み取りで得た原稿表面の画像データを画像メモリ２６のメインメモリ領域に保存し（ステップＳ１３１）、メモリフルが発生したか否かを判断する（ステップＳ１３２）。
【０１３４】
メモリフルが発生した場合は（ステップＳ１３２；Ｙｅｓ）、本再送信ジョブを中止するための後処理を行うために、ステップＳ１３６の処理を実行する。メモリフルが発生せず、今回読み取った原稿表面の画像データが正常にメインメモリ領域に保存された場合は（ステップＳ１３２；Ｎｏ）、前ページの済みスタンプ状態を保持するためのフラグをオンに設定し（ステップＳ１３３）、読み取った原稿が最終ページであるか否かを判断する（ステップＳ１３４）。
【０１３５】
最終ページである場合は（ステップＳ１３４；Ｙｅｓ）、ＦＡＸ再送信を行うためにステップＳ１３５の処理へ移行し、最終ページではない場合は（ステップＳ１３４；Ｎｏ）ステップＳ１１８の処理へ戻る。
【０１３６】
たとえば、異常スタンプＳＢの有る原稿の処理において、読み取った最初のページに異常スタンプＳＢが有る場合、もしくは、異常スタンプＳＢの有るページの次のページを読み取った際にそのページにも異常スタンプＳＢが有る場合、もしくは、正常スタンプＳＡが有るページの次のページを読み取った際にそのページに異常スタンプＳＢが有る場合には、それらの異常スタンプＳＢが有る原稿はＦＡＸ未送信ページであるため再送信対象となる。本原稿の処理では、画像メモリ２６のテンポラリメモリ領域に画像データが保存されていない状態で、ステップＳ１１９（ステップＳ１１９；Ｙｅｓ）からステップＳ１２７を経由して（ステップＳ１２７；Ｎｏ）ステップＳ１３１へ移行し、ステップＳ１３１からステップＳ１３４までの一連の処理が行われる。これにより、今回読み取った異常スタンプＳＢの有る原稿の画像データはメインメモリ領域に保存されることとなり、再送信の対象にされる（異常原稿特定処理）。
【０１３７】
またステップＳ１１７からステップＳ１２６までの処理を経て、画像メモリ２６のテンポラリメモリ領域にスタンプＳの無い原稿の画像データが保存された後に、ステップＳ１２７へ移行してステップＳ１２７からステップＳ１３０までの一連の処理が行われると、テンポラリメモリ領域に保存されているスタンプＳの無い原稿の画像データは、その後スタンプＳの有る原稿が読み取られたことで（ステップＳ１１９；Ｙｅｓ）再送信の対象に決定され、画像メモリ２６のテンポラリメモリ領域からメインメモリ領域へ移される。すなわち、テンポラリメモリ領域内の先頭ページはその後の異常スタンプＳＢの出現により再送信対象にされ、テンポラリメモリ領域内の２ページ目以降はマルチフィード（スタンプＳの無いページの次ページ）により再送信対象にされる。
【０１３８】
テンポラリメモリ領域に存在するすべての画像データがメインメモリ領域へ移された後に、ステップＳ１３１の処理が行われると今回読み取った原稿も再送信対象となり、その原稿の画像データもメインメモリ領域に保存される。すなわち、今回読み取った原稿はテンポラリメモリ領域内のスタンプＳの無い最終ページの次ページであるため、このページも再送信対象にされる。
【０１３９】
一方、ステップＳ１１７からステップＳ１２６までの処理を経て、画像メモリ２６のテンポラリメモリ領域に、スタンプＳの無い原稿の画像データが保存された後に、ステップＳ１２０からステップＳ１２１、ステップＳ１２２を経由してステップＳ１３０へ移行した場合には、画像メモリ２６のテンポラリメモリ領域に保存されているスタンプＳの無い原稿の画像データのうちの先頭ページはＦＡＸ送信済みであることが判明して（ステップＳ１２０；Ｙｅｓ）再送信対象から外され、その先頭１ページ分の画像データは画像メモリ２６のテンポラリメモリ領域から削除される（ステップＳ１３０）。テンポラリメモリ領域内の２ページ目以降はスタンプＳの無いページの次ページであるため再送信対象である。そこで１ページ目の画像データを削除した後にテンポラリメモリ領域に残っているすべての画像データがメインメモリ領域へ移される。その後ステップＳ１３１の処理が行われると、今回読み取った原稿は正常スタンプＳＡが押印されてはいるが前ページ（テンポラリメモリ領域内の最終ページ）に重なってマルチフィードされたＦＡＸ未送信ページであるため再送信対象となり、その原稿の画像データはメインメモリ領域に保存される。
【０１４０】
これにより、今回読み取ったスタンプＳの押印されているページとテンポラリメモリ領域に保存されているページとを一束にしてマルチフィードされたページ群として扱い、そのスタンプＳの種類が正常スタンプＳＡの場合は、一束のページ群の中の先頭ページ、すなわちテンポラリメモリ領域内の先頭ページをＦＡＸ送信済みページとして扱い、スタンプＳの種類が異常スタンプＳＢの場合は、テンポラリメモリ領域内の先頭ページはＦＡＸ未送信ページとして扱い再送信の対象にする処理が行われる（異常先頭ページ特定処理）。さらに、テンポラリメモリ領域内のスタンプＳが無い２ページ目以降、および、今回読み取ったスタンプＳが有るページを再送信の対象にする処理も行われる（マルチフィード原稿特定処理）。
【０１４１】
ステップＳ１３７では、画像メモリ２６のテンポラリメモリ領域に保存されている画像データが有るか否かを判断する。画像データが無い場合は（ステップＳ１３７；Ｎｏ）、ステップＳ１３５の処理へ移行し、画像データがある場合は（ステップＳ１３７；Ｙｅｓ）、ＦＡＸ再送信を行う必要があるため、テンポラリメモリ領域に存在する先頭１ページ分の画像データをメインメモリ領域にコピーし（ステップＳ１３８）、メモリフルが発生したか否かを判断する（ステップＳ１３９）。
【０１４２】
メモリフルが発生せず、テンポラリメモリ領域に存在する先頭１ページ分の画像データが正常にメインメモリ領域にコピーされた場合は（ステップＳ１３９；Ｎｏ）、その先頭１ページ分の画像データをテンポラリメモリ領域から削除して（ステップＳ１４０）、ステップＳ１３７の処理へ戻る。メモリフルが発生した場合は（ステップＳ１３９；Ｙｅｓ）、本再送信ジョブを中止するための後処理を行うために、ステップＳ１３６の処理を実行する。
【０１４３】
たとえば、スタンプＳの無いページの画像データをテンポラリメモリ領域に保存するステップＳ１１８からステップＳ１２６までの処理を繰り返しているうちに最終ページとなったときは（ステップＳ１２６；Ｙｅｓ）、それらのページはメモリフルあるいはＦＡＸ送信中止となる通信エラーによって最終ページまで読み飛ばされたページと判明する。そして、ステップＳ１３７からステップＳ１４０までの一連の処理が行われると、テンポラリメモリ領域内のすべてのページ（読み飛ばされたページ）の画像データが画像メモリ２６のテンポラリメモリ領域からメインメモリ領域へ移されて再送信の対象にされる（異常後続ページ特定処理）。
【０１４４】
ステップＳ１３５では、画像メモリ２６のメインメモリ領域に保存されている画像データが有る場合はその画像データのＦＡＸ送信（再送信）を実行し、ＦＡＸ送信後にメインメモリ領域に有る画像データをすべて消去して（ステップＳ１３６）本再送信ジョブを終了する（End）。画像メモリ２６のメインメモリ領域に保存されている画像データが無い場合は、何も処理せずにステップＳ１３６の処理へ移行し本再送信ジョブを終了する（End）。
【０１４５】
また、本再送信ジョブの処理の途中でメモリフルが発生した場合は（ステップＳ１２５／ステップＳ１２９／ステップＳ１３２／ステップＳ１３９；Ｙｅｓ）、本再送信ジョブを中止するための後処理を行うために、画像メモリ２６のメインメモリ領域またはテンポラリメモリ領域に画像データがあればすべて消去し（ステップＳ１３６）、本再送信ジョブを中止する（End）。
【０１４６】
以上が再送モードを使用したＦＡＸ再送信の処理の流れであり、たとえば図４（Ａ）、図４（Ｂ−５）、図５（Ｃ−１）、図５（Ｄ−１）、図６（Ｅ−７）、図９（Ｆ−２２）に示すスタンプパターンの各原稿群に対しては、本処理を行うことで、以下に説明する流れで自動的にＦＡＸ再送信対象の原稿が正確に特定され再送信される。
【０１４７】
・図４（Ａ）：全ページ（ページ１〜４）正常送信
裏面に正常スタンプＳＡが押印されているページ１が読み取られると、ページ１の表面の画像データは画像メモリ２６のテンポラリメモリ領域に保存されずに消去される（Ｓ１１８→Ｓ１１９→Ｓ１２０→Ｓ１２１→Ｓ１２６）。ページ２，３，４についても同じ処理が繰り返し行われ、最終ページであるページ４の処理を終えると、画像メモリ２６のメインメモリ領域には画像データが無いためにＦＡＸ送信は行われず処理が終了する（Ｓ１２６→Ｓ１３７→Ｓ１３５→Ｓ１３６→End）。したがって、本例ではＦＡＸ再送信対象の原稿が無いものと処理される。
【０１４８】
・図４（Ｂ−５）：原稿マルチフィードがページ２，３，４で発生
裏面に正常スタンプＳＡが押印されているページ１が読み取られると、ページ１の表面の画像データは画像メモリ２６のテンポラリメモリ領域に保存されることなく消去される（Ｓ１１８→Ｓ１１９→Ｓ１２０→Ｓ１２１→Ｓ１２６）。裏面にスタンプＳが押印されていないページ２，３については、表面の画像データが画像メモリ２６のテンポラリメモリ領域に保存される（Ｓ１１８→Ｓ１１９→Ｓ１２０→Ｓ１２３→Ｓ１２４→Ｓ１２５→Ｓ１２６：２回繰り返し）。裏面に正常スタンプＳＡが押印されているページ４が読み取られると（Ｓ１１８→Ｓ１１９→Ｓ１２０）、ページ２はＦＡＸ送信済みと判明し、ページ２の画像データは画像メモリ２６のテンポラリメモリ領域から削除される（Ｓ１２１→Ｓ１２２→Ｓ１３０）。ページ３はＦＡＸ送信済みのページ２にマルチフィードされたと判明し、ページ３の画像データは画像メモリ２６のテンポラリメモリ領域からメインメモリ領域へコピーされてテンポラリメモリ領域から削除される（Ｓ１２７→Ｓ１２８→Ｓ１２９→Ｓ１３０）。ページ４はページ２，３にマルチフィードされたと判明し、ページ４の表面の画像データは画像メモリ２６のメインメモリ領域に保存される（Ｓ１２７→Ｓ１３１→Ｓ１３２→Ｓ１３３→Ｓ１３４）。最終ページであるページ４の処理を終えると、画像メモリ２６のメインメモリ領域に保存されているページ３，４の画像データがＦＡＸ送信されて処理が終了する（Ｓ１３５→Ｓ１３６→End）。したがって、本例ではページ３，４がＦＡＸ再送信対象に特定されて再送信される。
【０１４９】
・図５（Ｃ−１）：通信エラー(エラー発生ページで送信中止)またはメモリフルがページ１で発生
裏面に異常スタンプＳＢが押印されているページ１が読み取られると、ページ１はＦＡＸ未送信であると判明し、ページ１の表面の画像データは画像メモリ２６のメインメモリ領域に保存される（Ｓ１１８→Ｓ１１９→Ｓ１２７→Ｓ１３１→Ｓ１３２→Ｓ１３３→Ｓ１３４）。裏面にスタンプＳが押印されていないページ２，３については、表面の画像データが画像メモリ２６のテンポラリメモリ領域に保存される（Ｓ１１８→Ｓ１１９→Ｓ１２０→Ｓ１２３→Ｓ１２４→Ｓ１２５→Ｓ１２６：２回繰り返し）。裏面にスタンプＳが押印されていないページ３が最終ページであるため、ページ１で通信エラー(エラー発生ページで送信中止)またはメモリフルが発生してページ２，３はＦＡＸ未送信であると判明し、ページ２，３の画像データは画像メモリ２６のテンポラリメモリ領域からメインメモリ領域へコピーされてテンポラリメモリ領域から削除される（Ｓ１３７→Ｓ１３８→Ｓ１３９→Ｓ１４０：２回繰り返し）。ページ２，３の画像データのコピーを終えると、画像メモリ２６のメインメモリ領域に保存されているページ１，２，３の画像データがＦＡＸ送信されて処理が終了する（Ｓ１３５→Ｓ１３６→End）。したがって、本例ではページ１，２，３がＦＡＸ再送信対象に特定されて再送信される。
【０１５０】
・図５（Ｄ−１）：通信エラー(エラー発生ページ以外を送信)がページ１で発生
裏面に異常スタンプＳＢが押印されているページ１が読み取られると、ページ１はＦＡＸ未送信であると判明し、ページ１の表面の画像データは画像メモリ２６のメインメモリ領域に保存される（Ｓ１１８→Ｓ１１９→Ｓ１２７→Ｓ１３１→Ｓ１３２→Ｓ１３３→Ｓ１３４）。裏面に正常スタンプＳＡが押印されているページ２，３については、表面の画像データが画像メモリ２６のテンポラリメモリ領域に保存されずに消去される（Ｓ１１８→Ｓ１１９→Ｓ１２０→Ｓ１２１→Ｓ１２６：２回繰り返し）。最終ページであるページ３の処理を終えると、画像メモリ２６のメインメモリ領域に保存されているページ１の画像データがＦＡＸ送信されて処理が終了する（Ｓ１３５→Ｓ１３６→End）。したがって、本例ではページ１がＦＡＸ再送信対象に特定されて再送信される。
【０１５１】
・図６（Ｅ−７）：原稿マルチフィードがページ１，２，３で発生／通信エラー(エラー発生ページで送信中止)またはメモリフルがページ３で発生
裏面にスタンプＳが押印されていないページ１，２が読み取られると、ページ１，２の表面の画像データは画像メモリ２６のテンポラリメモリ領域に保存される（Ｓ１１８→Ｓ１１９→Ｓ１２０→Ｓ１２３→Ｓ１２４→Ｓ１２５→Ｓ１２６：２回繰り返し）。裏面に異常スタンプＳＢが押印されているページ３が読み取られると（Ｓ１１８→Ｓ１１９）、ページ１，２，３がマルチフィードされてページ２，３はＦＡＸ未送信であり、更にページ１もＦＡＸ未送信であると判明し、ページ１，２の画像データはテンポラリメモリ領域からメインメモリ領域へコピーされてテンポラリメモリ領域から削除され（Ｓ１２７→Ｓ１２８→Ｓ１２９→Ｓ１３０：２回繰り返し）、ページ３の画像データは画像メモリ２６のメインメモリ領域に保存される（Ｓ１２７→Ｓ１３１→Ｓ１３２→Ｓ１３３→Ｓ１３４）。裏面にスタンプＳが押印されていないページ４については、表面の画像データが画像メモリ２６のテンポラリメモリ領域に保存される（Ｓ１１８→Ｓ１１９→Ｓ１２０→Ｓ１２３→Ｓ１２４→Ｓ１２５→Ｓ１２６）。裏面にスタンプＳが押印されていないページ４が最終ページであるため、ページ３で通信エラー(エラー発生ページで送信中止)またはメモリフルが発生してページ４はＦＡＸ未送信であると判明し、ページ４の画像データは画像メモリ２６のテンポラリメモリ領域からメインメモリ領域へコピーされてテンポラリメモリ領域から削除される（Ｓ１３７→Ｓ１３８→Ｓ１３９→Ｓ１４０）。ページ４の画像データのコピーを終えると、画像メモリ２６のメインメモリ領域に保存されているページ１，２，３，４の画像データがＦＡＸ送信されて処理が終了する（Ｓ１３５→Ｓ１３６→End）。したがって、本例ではページ１，２，３，４がＦＡＸ再送信対象に特定されて再送信される。
【０１５２】
・図９（Ｆ−２２）：原稿マルチフィードがページ１，２，３で発生／通信エラー(エラー発生ページ以外を送信)がページ４で発生
裏面にスタンプＳが押印されていないページ１，２が読み取られると、ページ１，２の表面の画像データは画像メモリ２６のテンポラリメモリ領域に保存される（Ｓ１１８→Ｓ１１９→Ｓ１２０→Ｓ１２３→Ｓ１２４→Ｓ１２５→Ｓ１２６：２回繰り返し）。裏面に正常スタンプＳＡが押印されているページ３が読み取られると（Ｓ１１８→Ｓ１１９→Ｓ１２０）、ページ１，２，３がマルチフィードされてページ２，３はＦＡＸ未送信であり、ページ１はＦＡＸ送信済みであると判明し、ページ１の画像データは画像メモリ２６のテンポラリメモリ領域から削除され（Ｓ１２１→Ｓ１２２→Ｓ１３０）、ページ２の画像データは画像メモリ２６のテンポラリメモリ領域からメインメモリ領域へコピーされてテンポラリメモリ領域から削除され（Ｓ１２７→Ｓ１２８→Ｓ１２９→Ｓ１３０）、ページ３の画像データは画像メモリ２６のメインメモリ領域に保存される（Ｓ１２７→Ｓ１３１→Ｓ１３２→Ｓ１３３→Ｓ１３４）。裏面に異常スタンプＳＢが押印されているページ４はＦＡＸ未送信であるため、表面の画像データが画像メモリ２６のメインメモリ領域に保存される（Ｓ１１８→Ｓ１１９→Ｓ１２７→Ｓ１３１→Ｓ１３２→Ｓ１３３→Ｓ１３４）。最終ページであるページ４の処理を終えると、画像メモリ２６のメインメモリ領域に保存されているページ２，３，４の画像データがＦＡＸ送信されて処理が終了する（Ｓ１３５→Ｓ１３６→End）。したがって、本例ではページ２，３，４がＦＡＸ再送信対象に特定されて再送信される。
【０１５３】
なお、ここでは説明を省略するが、図４〜９に示す他のスタンプパターンの各原稿群についても、図１５に示す処理によって自動で再送信対象のページが正確に特定され再送信される。
【０１５４】
このように、本実施形態の原稿読取装置１１では、複数枚の原稿Ｍからなる原稿群に対して、第１の読取光学系３５は各原稿Ｍの表面ＭＦ（原稿面）を読み取り、スタンプ機構５０は第１の読取光学系３５で読み取られた各原稿Ｍの裏面ＭＲにスタンプＳを押印する。また、操作部１２によって再送モードを行う設定にされている場合には、スタンプＳが押印された原稿群の読み取りで、第２の読取光学系３６は各原稿Ｍの裏面ＭＲを読み取り、システム制御部１３のＣＰＵ２０は、第２の読取光学系３６による各原稿Ｍの裏面ＭＲの読み取りで得られたスタンプＳの状況に応じて再送信対象の原稿Ｍを特定する。
【０１５５】
特に本実施形態では、再送モードが設定されている場合に、スタンプＳが裏面ＭＲに押印されていない原稿Ｍを読み取ったとき、その原稿Ｍの次ページの原稿Ｍを再送信対象に特定する。また異常スタンプＳＢが裏面ＭＲに押印されている原稿Ｍを読み取ったとき、その原稿Ｍを再送信対象に特定し、更にその原稿Ｍの手前に連なるスタンプＳの押印されていない原稿Ｍの中の先頭ページを再送信対象に特定する。また異常スタンプＳＢが裏面ＭＲに押印されている原稿Ｍを読み取った後、次ページ以降のすべての原稿Ｍの裏面ＭＲにスタンプＳがなかったときは、異常スタンプＳＢが押印されている原稿Ｍ以降の全原稿Ｍを再送信対象に特定する。
【０１５６】
これにより、原稿マルチフィード、通信エラー（エラー発生ページで送信中止／エラー発生ページ以外を送信）、メモリフルといった読み取り異常が単独または複合して発生した場合でも、ＦＡＸ未送信であるために再送信する必要のある原稿Ｍが正確に特定できるようになる。また、ユーザが操作部１２を通して再送モードを行う設定にし、原稿読取装置１１に再度原稿群を読み取らせるだけで、各原稿ＭのスタンプＳの読み取り結果を基に、再送信対象の原稿Ｍが自動で特定され再送信される。
【０１５７】
[第２の実施の形態]
第１の実施の形態で説明した画像形成装置１０の原稿読取装置１１は、片面原稿に加えて両面原稿の処理にも対応しており、第２の実施の形態では両面原稿を処理する場合について説明する。以下、原稿読取装置１１における両面原稿の処理を行う構成について説明するが、第１の実施の形態と同じ構成については説明を省略する。
【０１５８】
原稿読取装置１１は、両面原稿のＦＡＸ送信で済みスタンプ機能が設定されている場合に、表裏の各原稿面が正常に送信されたか否かを識別するための両面原稿用のスタンプ（識別マーク）を両面原稿の裏面に押印するようになっている。さらに両面原稿の再送モードでは、ＦＡＸ未送信のため再送信する必要のある原稿面を自動で特定し再送信するようになっている。
【０１５９】
両面原稿のＦＡＸ送信については、片面原稿と同様に、済みスタンプ機能が設定されている場合には、両面原稿の表裏面を読み取りながら同時にＦＡＸ送信を行うリアルタイム送信で実行され、済みスタンプ機能が設定されていない場合には、読み取った両面原稿の表裏面の画像データを画像メモリ２６に一旦保存し、保存した内容をＦＡＸ送信するメモリ送信で実行されるようになっている。
【０１６０】
システム制御部１３（図１参照）は、第１の実施の形態で説明した機能に加えて、両面原稿のＦＡＸ送信で再送モードが設定されている場合に、ＦＡＸ未送信となったため再送信する必要のある原稿面（再処理対象の原稿面）を特定する機能と（原稿特定手段）、特定した原稿面を再送信するよう各部を制御する機能を備えている。
【０１６１】
原稿の種類（片面／両面）に応じた片面／両面ＦＡＸ送信の選択は、操作部１２（図１参照）を通して設定できるようになっている。また再送モードでは、原稿を再読み取りしたときのスタンプの種類（片面原稿用／両面原稿用のスタンプ）で原稿の種類が自動判別されるようになっており、原稿の種類を選択する操作は不要となっている。なお、このような自動判別に加えて、再送モードにおいても操作部１２を通して原稿の種類を選択できるように構成することができる。
【０１６２】
スタンプ機構５０（図３参照）は、第１の実施の形態で説明した、片面原稿のＦＡＸ送信で済みスタンプ機能が設定されている場合に片面原稿用のスタンプＳ（正常スタンプＳＡ／異常スタンプＳＢ（図４参照））を原稿Ｍの裏面ＭＲに押印する機能に加えて、両面原稿のＦＡＸ送信で済みスタンプ機能が設定されている場合に、両面原稿用のスタンプＳ（図１６参照）を原稿Ｍの裏面ＭＲに押印する機能を備えている（識別マーク付与手段）。
【０１６３】
両面原稿用のスタンプＳは、第１の読取光学系３５（図３参照）によって両面原稿Ｍの表面ＭＦが読み取られると共に第２の読取光学系３６（図３参照）によって両面原稿Ｍの裏面ＭＲが読み取られ、表裏面共に正常に処理完了したこと（両面ＦＡＸ送信完了）を示す両面正常スタンプ（ＳＣ）と、表裏面共に正常に処理完了しなかったこと（両面ＦＡＸ未送信）を示す両面異常スタンプ（ＳＤ）と、表面が正常で裏面が異常であったことを示す裏面異常スタンプ（ＳＥ）と、表面が異常で裏面が正常であったことを示す表面異常スタンプ（ＳＦ）と、表面が異常であると共に処理が停止されて裏面の処理が行われなかったことを示す表面異常処理停止スタンプ（ＳＧ）との５種類が用意されている。
【０１６４】
次に、原稿読取装置１１による両面原稿の読み取り動作と、再処理対象（ＦＡＸ未送信）の原稿面を自動で特定し再送信する動作について説明する。なお、以下の説明では「片面原稿用のスタンプ」を「片面用スタンプ」、「両面原稿用のスタンプ」を「両面用スタンプ」と略して記述する。
【０１６５】
画像形成装置１０の原稿読取装置１１による両面原稿の読み取りでは、片面原稿の場合と同様に、ユーザが自動原稿送り装置１６（図３参照）の原稿トレー４１上に、複数ページからなる両面原稿Ｍの束（原稿群）を表面ＭＦを上側に向けてセットし、操作部１２（図１参照）を通して両面原稿Ｍをスキャン／コピー／ＦＡＸ送信する操作を行うと、両面原稿Ｍの自動読み取りが開始される。
【０１６６】
この自動読み取りで、原稿群は先頭ページから１枚ずつピックアップされて搬送され、読取位置ＲＰ１を通過する際に両面原稿Ｍの表面ＭＦの画像が第１の読取光学系３５によって読み取られ、読取位置ＲＰ２を通過する際に両面原稿Ｍの裏面ＭＲの画像が第２の読取光学系３６によって読み取られ、排出トレー４２に排出される。そして、最終ページの読み取りが完了し、この原稿群の読み取りがＦＡＸ送信における動作であった場合には、システム制御部１３のＣＰＵ２０はＦＡＸユニット３１を制御して、読み取られた各両面原稿Ｍの表面ＭＦと裏面ＭＲの画像データを公衆回線３３を通じて外部装置へＦＡＸ送信する。
【０１６７】
また、両面原稿のＦＡＸ送信で済みスタンプ機能が設定されている場合には、表裏面の送信状況に応じて両面用スタンプＳがスタンプ機構５０によって各両面原稿Ｍの裏面ＭＲに押印される。さらにＦＡＸ未送信のページ（原稿面）を再送信する場合には、片面原稿の場合と同様に、済みスタンプ機能を用いてＦＡＸ送信した原稿群を、再度、自動原稿送り装置１６の原稿トレー４１にセットし再送モードを設定して読み取りの開始操作を行う。この再送モードによる読み取りで、各両面原稿Ｍは、読取位置ＲＰ１を通過する際に表面ＭＦの画像が第１の読取光学系３５によって読み取られ、読取位置ＲＰ２を通過する際に両面用スタンプＳの有無および種類を含む裏面ＭＲの画像が第２の読取光学系３６によって読み取られる。
【０１６８】
第２の読取光学系３６によって読み取られた各両面原稿Ｍの裏面ＭＲの画像データは、システム制御部１３のＣＰＵ２０へ送られ、ＣＰＵ２０は、各両面原稿Ｍの裏面ＭＲに押印されたスタンプＳの状況に応じて再送信する両面原稿Ｍの原稿面を特定し再送信を行うようＦＡＸユニット３１などを制御する。
【０１６９】
以下に、両面用スタンプＳの種類と、複数ページの両面原稿Ｍに押印される両面用スタンプＳのパターンについて詳細に説明する。
【０１７０】
図１６〜３９は、複数ページの両面原稿Ｍにおける両面用スタンプＳのパターンの例を、ページ数が３ページまたは４ページの原稿群の場合で示している。なお、図１６〜３９におけるスタンプパターンの表し方としては、図１６の「図の見方」に示すように、各ページの両面原稿Ｍを裏面ＭＲ側から見た状態で、紙面の奥側から手前側に向けてページ１、ページ２、・・・としている（片面原稿の場合と同様）。
【０１７１】
片面用スタンプには円形マーク（「●」／「○」）を使用しているが、これと区別するために両面用スタンプには菱形マーク（１種類は三角形マーク）を使用している。この菱形マークからなる両面用スタンプでは、左側半分を占める三角形部分が原稿表面の処理状況を表し、右側半分を占める三角形部分が原稿裏面の処理状況を表しており、いずれも正常（ＦＡＸ送信済み）を黒塗りで、異常（ＦＡＸ未送信）を白抜きで表している。
【０１７２】
詳細には、両面正常スタンプＳＣはページ３の裏面ＭＲの下端部に有るような左右の各領域（全領域）が黒塗りの菱形マーク（「◆」）で示し、両面異常スタンプＳＤはページ１の裏面ＭＲの下端部に有るように左右の各領域が白抜きの菱形マークで示している。さらに、裏面異常スタンプＳＥはページ４の裏面ＭＲの下端部に有るような右側半分が白抜きの菱形マークで示し、表面異常スタンプＳＦはページ５の裏面ＭＲの下端部に有るような左側半分が白抜きの菱形マークで示し、表面異常処理停止スタンプＳＧは菱形マークにおける右側半分の三角形が存在せず左側半分の三角形が白抜きとされた三角マークで示している。また、スタンプ無しはページ２の裏面ＭＲの下端部に有るように表示無しで示している（片面原稿の場合と同様）。
【０１７３】
なお、両面原稿のＦＡＸ送信における異常は、片面原稿と同じくＦＡＸ送信中の「通信エラー」（エラー発生ページ以降の送信を中止せずに継続処理するまたは中断する）や、画像データを保存する画像メモリ２６が容量オーバーとなる「メモリフル」が発生してＦＡＸ送信が完了しなかった場合である。また、両面原稿の表面の読み取りで中断を必要とする「通信エラー」や「メモリフル」が発生したときは読み取り動作が中止され、その両面原稿の裏面に表面異常処理停止スタンプＳＧが押印されて排出トレー４２へ排出される。したがって、表面異常処理停止スタンプＳＧが押印された両面原稿は、表面が異常で読み取られておらず、さらに読み取り動作が中止されて裏面も読み取られていないことになる。また、この表面異常処理停止スタンプＳＧが押印された両面原稿以降にページが有るときは、次ページ以降の全ページは表裏面の読み取りが行われず両面用スタンプＳが押印されずに排出される。
【０１７４】
また、片面原稿の場合と同様に、両面原稿ＭのＦＡＸ送信状態については、ＦＡＸ送信済み（正常）を「送信済み」とし、ＦＡＸ未送信（異常）を「未送信」としており、スタンプパターンの種類については、以下のＧ〜Ｌの現象で分類分けし３２９種類を例示している。
【０１７５】
Ｇ：正常送信
Ｈ：原稿マルチフィード
Ｉ：通信エラー（エラー発生ページで送信中止）またはメモリフル
Ｊ：通信エラー（エラー発生ページ以外を送信）
Ｋ：原稿マルチフィードと通信エラー（エラー発生ページで送信中止）またはメモリフルの複合
Ｌ：原稿マルチフィードと通信エラー（エラー発生ページ以外を送信）の複合
また、図４０は、図１６〜３９に示したスタンプパターンの一部について、種類、ＦＡＸ送信完了ページNo、ＦＡＸ再送信対象ページNo、備考（症状）を対応させて一覧表に示したものである。
【０１７６】
たとえば、複数ページの両面原稿Ｍの各表裏面が全て正常にＦＡＸ送信された場合は、図１６（Ｇ）に示すように、各ページ（ページ１〜４）の両面原稿Ｍの裏面ＭＲには両面正常スタンプＳＣが押印される。
【０１７７】
両面原稿Ｍのマルチフィードが発生した場合には、図１６（Ｈ−１）〜（Ｈ−６）に示すように、裏面ＭＲに両面用スタンプＳの無いページが発生する。たとえば、図１６（Ｈ−４）に示すように、全４ページの両面原稿にてマルチフィードがページ２，３で発生した場合は、ページ２がスタンプ無しとなり、ＦＡＸ送信が完了したのはページ１の表裏面、ページ２の表面、ページ３の裏面、およびページ４の表裏面で、ＦＡＸ未送信はページ２の裏面およびページ３の表面となる（図４０のスタンプパターン（Ｈ−４）参照）。また、図１６（Ｈ−５）に示すように、全４ページの両面原稿にてマルチフィードがページ２，３，４で発生した場合は、ページ２，３がスタンプ無しとなり、ＦＡＸ送信が完了したのはページ１の表裏面、ページ２の表面、およびページ４の裏面で、ＦＡＸ未送信はページ２の裏面、ページ３の表裏面、およびページ４の表面となる（図４０のスタンプパターン（Ｈ−５）参照）。
【０１７８】
すなわち、裏面に両面用スタンプＳが押印されていない両面原稿（Ｍ１）は、その裏面側に次のページの両面原稿（Ｍ２）が重なって搬送されていることになり、両面用スタンプＳの押印されていない両面原稿（Ｍ１）の裏面は、その裏面側に重なっている次のページの両面原稿（Ｍ２）の存在によって読み取られていないことになり、次のページの両面原稿（Ｍ２）の表面は、その手前に重なっている前のページの両面原稿（Ｍ１）の存在によって読み取られていないことになる。図１６（Ｈ−２）、（Ｈ−３）、（Ｈ−５）のように複数ページがマルチフィードされた場合でも、各スタンプ無しのページについてそれぞれ同様の現象が生じている。そこで、スタンプ無しのページが在る場合は、スタンプ無しのページの裏面と次ページの表面とをＦＡＸ再送信の対象に特定する。
【０１７９】
通信エラー（エラー発生ページで送信中止）またはメモリフルが発生した場合には、図１７（Ｉ−１）〜（Ｉ−６）に示すように、表面で異常が発生したページに表面異常処理停止スタンプＳＧが押印され、または裏面で異常が発生したページに裏面異常スタンプＳＥが押印され、それ以降ページがある場合は、表裏面の画像の読み取りが行われずに排出され両面用スタンプＳが無い状態となる。たとえば、図１７（Ｉ−１）に示すように、全３ページの両面原稿にて通信エラー（エラー発生ページで送信中止）またはメモリフルがページ１の表面で発生した場合は、ページ１に表面異常処理停止スタンプＳＧが押印され、ページ２，３がスタンプ無しとなり、ＦＡＸ未送信はページ１，２，３（全ページ）の各表裏面となる（図４０のスタンプパターン（Ｉ−１）参照）。また、図１７（Ｉ−２）に示すように、全３ページの両面原稿にて通信エラー（エラー発生ページで送信中止）またはメモリフルがページ１の裏面で発生した場合は、ページ１に裏面異常スタンプＳＥが押印され、ページ２，３がスタンプ無しとなり、ＦＡＸ送信が完了したのはページ１の表面のみで、ＦＡＸ未送信はページ１の裏面、ページ２および３の各表裏面となる（図４０のスタンプパターン（Ｉ−２）参照）。
【０１８０】
通信エラー（エラー発生ページ以外を送信）が発生した場合には、図１８〜図２１の（Ｊ−１）〜（Ｊ−６０）に示すように、通信エラーとなったページには両面異常スタンプＳＤまたは裏面異常スタンプＳＥまたは表面異常スタンプＳＦが押印され、正常にＦＡＸ送信されたページには両面正常スタンプＳＣが押印される。たとえば、図２０（Ｊ−４４）に示すように、全３ページの両面原稿にて通信エラーがページ１の表裏面、ページ２の裏面、ページ３の表面で発生した場合は、ページ１に両面異常スタンプＳＤが押印され、ページ２に裏面異常スタンプＳＥが押印され、ページ３に表面異常スタンプＳＦが押印された状態となり、ＦＡＸ未送信はページ１の表裏面、ページ２の裏面、およびページ３の表面となる（図４０のスタンプパターン（Ｊ−４４）参照）。
【０１８１】
原稿マルチフィードと通信エラー（エラー発生ページで送信中止）またはメモリフルとが複合して発生した場合には、図２２および図２３の（Ｋ−１）〜（Ｋ−２２）に示すように、マルチフィードにより両面用スタンプＳの無いページが発生すると共に、表面で異常が発生して以後停止したページに表面異常処理停止スタンプＳＧが押印され、または裏面で異常が発生して以後停止したページに裏面異常スタンプＳＥが押印され、それ以降ページがある場合は、表裏面の画像の読み取りが行われずに排出され両面用スタンプＳが無い状態となる。たとえば、図２３（Ｋ−１６）に示すように、全４ページの両面原稿にてマルチフィードがページ１，２，３で発生し、通信エラー（エラー発生ページで送信中止）またはメモリフルがページ３の表面で発生した場合は、ページ３に表面異常処理停止スタンプＳＧが押印され、ページ１，２，４がスタンプ無しとなり、ＦＡＸ未送信はページ１，２，３，４（全ページ）の各表裏面となる（図４０のスタンプパターン（Ｋ−１６）参照）。
【０１８２】
通信エラーで送信中止もしくはメモリフルエラーが両面原稿の表面または裏面で生じたときは、そのエラーの発生したページの裏面に表面異常処理停止スタンプＳＧまたは裏面異常スタンプＳＥを押印し、次ページ以降の全ページは読み取らずに排出されるようになっている。そこで、表面異常処理停止スタンプＳＧまたは裏面異常スタンプＳＥ後、最終ページまでスタンプ無しのページが連続する場合は、異常を示すスタンプの押印されたページのうちスタンプが異常を示す面およびスタンプが未処理を示す面と、そのページ以降の全ページの表裏面とをＦＡＸ再送信の対象に特定する。
【０１８３】
原稿マルチフィードと通信エラー（エラー発生ページ以外を送信）とが複合して発生した場合には、図２４〜図３９の（Ｌ−１）〜（Ｌ−２３４）に示すように、マルチフィードにより両面用スタンプＳの無いページが発生すると共に、通信エラーが発生したページに両面異常スタンプＳＤまたは裏面異常スタンプＳＥまたは表面異常スタンプＳＦが押印される。たとえば、図３６（Ｌ−１９０）に示すように、全４ページの両面原稿にてマルチフィードがページ１，２，３で発生すると共にそのマルチフィードされたページ１，２，３の表裏面に対して通信エラー（エラー発生ページ以外を送信）が発生し、ページ４の表裏面が送信完了した場合は、ページ１，２がスタンプ無しとなり、ページ３に両面異常スタンプＳＤが押印され、ページ４に両面正常スタンプＳＣが押印され、ＦＡＸ未送信はページ１，２，３の各表裏面となる（図４０のスタンプパターン（Ｌ−１９０）参照）。
【０１８４】
このように、両面原稿のＦＡＸ送信では、上記Ｈ〜Ｌの症状に応じて両面正常または各種の異常を示すスタンプの有り無しの各種パターンが生じるが、この正常／異常スタンプの有無のみを単純に検出しただけでは、ＦＡＸ再送信対象の原稿面を正確に特定することができない。たとえば、原稿マルチフィードと通信エラーが複合している（Ｋ−１３）〜（Ｋ−１６）や（Ｌ−１８７）〜（Ｌ−１９５）などの場合では、マルチフィードによってページ１，２がスタンプ無しとなっているが、ページ１の表面とページ３の裏面のＦＡＸ送信状況はページ３のスタンプＳの種類によって決まる。
【０１８５】
両面原稿の場合も、裏面に両面用スタンプＳの押印された原稿とその手前に連続する両面用スタンプＳの押印されていない原稿は一束となってマルチフィードされた原稿である。ただし、両面原稿ではこの一束の先頭ページの表面は画像が読み取られ、この一束の最後のページの裏面に、先頭ページの表面の画像に対する処理結果を示す両面用スタンプＳが押印されていることになる。したがって、一束の原稿のうちの最終ページの裏面に押印された両面用スタンプＳが表面の正常を示すスタンプ（両面正常スタンプＳＣまたは裏面異常スタンプＳＥ）であれば、この一束の先頭ページの表面は正常に処理され、表面の異常を示す両面用スタンプ（両面異常スタンプＳＤまたは表面異常スタンプＳＦまたは表面異常処理停止スタンプＳＧ）であればこの一束の先頭ページの表面は正常に処理されていない異常ページであると判定することができる。
【０１８６】
また、両面原稿の場合にはマルチフィードされた一束の最終ページの裏面は画像が読み取られ、この最終ページの裏面に、最終ページの裏面の画像に対する処理結果を示す両面用スタンプＳが押印されていることになる。したがって、一束の原稿のうちの最終ページの裏面に押印された両面用スタンプＳが裏面の正常を示すスタンプ（両面正常スタンプＳＣまたは表面異常スタンプＳＦ）であれば、この一束の最終ページの裏面は正常に処理され、裏面の異常を示す両面用スタンプ（両面異常スタンプＳＤまたは裏面異常スタンプＳＥまたは表面異常処理停止スタンプＳＧ）であればこの一束の最終ページの裏面は正常に処理されていない異常ページであると判定することができる。
【０１８７】
このように、原稿マルチフィードとＦＡＸ送信を継続または中止する通信エラーなどが複合した場合は、マルチフィードされた両面原稿の最終ページの両面用スタンプＳの種類によって、その手前に連続するスタンプ無しのページの先頭ページの表面と、最終ページの裏面のＦＡＸ再送信の要否が決定する。
【０１８８】
本実施形態の原稿読取装置１１では、両面原稿のＦＡＸ送信における再送モードで、
（５）裏面にスタンプが押印されていない原稿を読み取った場合は、その原稿の裏面と次ページの原稿の表面とを再送信対象の原稿面に特定する「マルチフィードページ原稿面特定処理」
（６）表裏面の少なくともいずれかの異常を示すスタンプ（両面異常スタンプＳＤ／裏面異常スタンプＳＥ／表面異常スタンプＳＦ／表面異常処理停止スタンプＳＧ）が裏面に押印されている原稿を読み取った場合は、その原稿のうちスタンプが異常を示す面を再処理対象の原稿面に特定する「異常ページ原稿面特定処理」
（７）表面の異常を示すスタンプ（両面異常スタンプＳＤ／表面異常スタンプＳＦ／表面異常処理停止スタンプＳＧ）が裏面に押印されている原稿を読み取った場合は、その原稿の手前に連なるスタンプの押印されていない原稿の中の先頭ページの表面を再送信対象の原稿面に特定する「異常先頭ページ原稿面特定処理」
（８）表裏面の異常、または、裏面の異常、または、表面は異常でかつ裏面は未処理を示すスタンプ（両面異常スタンプＳＤ／裏面異常スタンプＳＥ／表面異常処理停止スタンプＳＧ）が裏面に押印されている原稿を読み取った後、次ページ以降のすべての原稿の裏面にスタンプが無かったときは、異常を示すスタンプが裏面に押印されている原稿のうちスタンプが異常を示す面およびスタンプが未処理を示す面と、その原稿以降の全原稿の表裏面とを再処理対象の原稿面に特定する「異常後続ページ原稿面特定処理」
といった（５）〜（８）の各処理を組み合わせることで、両面原稿に対する再送信対象の原稿面を特定する。詳細には、以下に説明する処理を実行することで、上記（５）〜（８）の各処理を網羅する再送信対象原稿面の自動的な特定と再送信を実現する。
【０１８９】
図４１および図４２は、原稿読取装置１１による片面／両面原稿のＦＡＸ送信および済みスタンプ機能の動作の流れを示し、図４３〜図４７は、片面／両面原稿のＦＡＸ送信における再送モードの動作の流れを示している。図４１〜図４７に示す動作は、片面原稿のＦＡＸ送信／済みスタンプ機能／再送モードにも対応しているが、基本的には第１の実施の形態と同様であるため片面原稿に関する動作の詳細な説明は省略する。
【０１９０】
まず、再送モードを使用しない場合の基本的なＦＡＸ送信の動作を説明する。図４１に示すように、ＦＡＸ送信を行うための動作（送信ジョブ）が開始されると（Start）、システム制御部１３のＣＰＵ２０は、ユーザが設定を行う再送モードの有効／無効を判断し（ステップＳ２０１）、設定が有効な場合は（ステップＳ２０１；Ｙｅｓ）図４３のステップＳ２４４以降の処理を行い、設定が無効な場合は（ステップＳ２０１；Ｎｏ）図４１のステップＳ２０２以降の処理を行う。
【０１９１】
再送モードの設定が無効の場合は、ユーザが設定を行う済みスタンプ機能の有効／無効を判断し（ステップＳ２０２）、設定が有効な場合は（ステップＳ２０２；Ｙｅｓ）ステップＳ２１１以降の処理を行い、設定が無効な場合は（ステップＳ２０２；Ｎｏ）ステップＳ２０３以降の処理を行う。
【０１９２】
済みスタンプ機能が設定されていない場合は（ステップＳ２０２；Ｎｏ）メモリ送信で動作するため、原稿読取装置１１は原稿１ページの両面の画像を読み取り（ステップＳ２０３）、読み取った原稿表面の画像データを画像メモリ２６のメインメモリ領域に保存する（ステップＳ２０４）。
【０１９３】
続いて、画像メモリ２６が容量オーバーとなるメモリフルが発生したか否かを判断し（ステップＳ２０５）、メモリフルが発生した場合は（ステップＳ２０５；Ｙｅｓ）、たとえば表示部１９（図１参照）にメモリフル発生の表示を行いユーザに報知して本送信ジョブを中止する（End）。メモリフルが発生せず、読み取った原稿の表面の画像データが正常に画像メモリ２６に保存された場合は（ステップＳ２０５；Ｎｏ）、ユーザによる設定が両面送信か否かを判断する（ステップＳ２０６）。
【０１９４】
両面送信でない場合は（ステップＳ２０６；Ｎｏ）、ステップＳ２０９の処理へ移行する。両面送信の場合は（ステップＳ２０６；Ｙｅｓ）、読み取った原稿裏面の画像データを画像メモリ２６のメインメモリ領域に保存する（ステップＳ２０７）。
【０１９５】
続いて、メモリフルが発生したか否かを判断し（ステップＳ２０８）、メモリフルが発生した場合は（ステップＳ２０８；Ｙｅｓ）、本送信ジョブを中止する（End）。メモリフルが発生せず、読み取った原稿の裏面の画像データが正常に画像メモリ２６に保存された場合は（ステップＳ２０８；Ｎｏ）、読み取った原稿が最終ページであるか否かを判断する（ステップＳ２０９）。
【０１９６】
読み取った原稿が最終ページでない場合は（ステップＳ２０９；Ｎｏ）、ステップＳ２０３の処理へ戻る。読み取った原稿が最終ページであった場合は（ステップＳ２０９；Ｙｅｓ）、画像メモリ２６のメインメモリ領域に保存されている原稿全ページ（両面原稿の場合は全ページの各表裏面）の画像データをＦＡＸ送信し（ステップＳ２１０）、送信完了後に本送信ジョブを終了する（End）。
【０１９７】
このステップＳ２０３からステップＳ２１０までの一連の処理で、メモリフルが発生しなければ片面／両面原稿の全ページが正常に読み取られてＦＡＸ送信される。
【０１９８】
一方、済みスタンプ機能が設定されている場合は（ステップＳ２０２；Ｙｅｓ）、原稿を読み取りながら同時にＦＡＸ送信を行うリアルタイム送信と、片面／両面原稿のＦＡＸ送信状況（正常／異常）に応じた片面用／両面用スタンプＳを押印するための動作を行う。
【０１９９】
まず、原稿表面の処理状態を保持するための表面エラーフラグと、原稿裏面の処理状態を保持するための裏面エラーフラグをクリアする（ステップＳ２１１）。本処理で使用する表面／裏面エラーフラグは、原稿の表面／裏面の処理状態を示しており、フラグ・クリアは処理が「正常」であったことを示し（初期値）、フラグ・セットは処理が「異常」であったことを示す。
【０２００】
次に、原稿１ページの両面の画像を読み取り（ステップＳ２１２）、読み取った原稿表面の画像データを画像メモリ２６のメインメモリ領域に保存する（ステップＳ２１３）。
【０２０１】
続いて、メモリフルが発生したか否かを判断し（ステップＳ２１４）、メモリフルが発生した場合は（ステップＳ２１４；Ｙｅｓ）、表面エラーフラグをセットし（ステップＳ２１５）、ステップＳ２１６の処理へ移行する。メモリフルが発生せず、読み取った原稿表面の画像データが正常に画像メモリ２６に保存された場合は（ステップＳ２１４；Ｎｏ）、ユーザによる設定が両面送信か否かを判断する（ステップＳ２１６）。
【０２０２】
両面送信でない場合は（ステップＳ２１６；Ｎｏ）、図４２のステップＳ２２０の処理へ移行する。両面送信の場合は（ステップＳ２１６；Ｙｅｓ）、読み取った原稿裏面の画像データを画像メモリ２６のメインメモリ領域に保存する（ステップＳ２１７）。
【０２０３】
続いて、メモリフルが発生したか否かを判断し（ステップＳ２１８）、メモリフルが発生した場合は（ステップＳ２１８；Ｙｅｓ）、裏面エラーフラグをセットし（ステップＳ２１９）、図４２のステップＳ２２０の処理へ移行する。メモリフルが発生せず、読み取った原稿裏面の画像データが正常に画像メモリ２６に保存された場合は（ステップＳ２１８；Ｎｏ）、図４２のステップＳ２２０の処理へ移行する。
【０２０４】
ステップＳ２２０では、表面エラーフラグがセットされているか否かを判断する。セットされている場合は（ステップＳ２２０；Ｙｅｓ）、ステップＳ２２９の処理へ移行する。セットされていない場合は（ステップＳ２２０；Ｎｏ）、画像メモリ２６のメインメモリ領域に保存されている原稿１ページの表面の画像データをＦＡＸ送信し（ステップＳ２２１）、その原稿表面のＦＡＸ送信が通信エラーなど起こらずに正常に終了したか否かを判断する（ステップＳ２２２）。
【０２０５】
ＦＡＸ送信が正常に終了しなかった場合は（ステップＳ２２２；Ｎｏ）、表面エラーフラグをセットし（ステップＳ２２８）、ステップＳ２２９の処理へ移行する。
【０２０６】
ステップＳ２２９では、ユーザによる設定が両面送信か否かを判断する。両面送信でない場合は（ステップＳ２２９；Ｎｏ）、原稿裏面に片面用の異常スタンプＳＢを押印し（ステップＳ２３０）、回線上は継続したＦＡＸ送信が可能であるか否かを判断する（ステップＳ２３１）。
【０２０７】
ＦＡＸ送信不可能な通信エラーまたはメモリフルの場合は（ステップＳ２３１；Ｎｏ）、たとえば表示部１９（図１参照）に通信エラー発生またはメモリフル発生の表示を行いユーザに報知し、さらに以後のページを読み飛ばし排出して本送信ジョブを中止する（End）。ＦＡＸ送信可能な場合は（ステップＳ２３１；Ｙｅｓ）、ステップＳ２４０の処理へ移行する。
【０２０８】
また、ステップＳ２２９の判断で両面送信の場合は（ステップＳ２２９；Ｙｅｓ）、回線上は継続したＦＡＸ送信が可能であるか否かを判断する（ステップＳ２３２）。
【０２０９】
ＦＡＸ送信不可能な通信エラーまたはメモリフルの場合は（ステップＳ２３２；Ｎｏ）、原稿裏面に両面原稿用の表面異常処理停止スタンプ（ＳＧ）を押印し（ステップＳ２３３）、たとえば表示部１９（図１参照）に通信エラー発生またはメモリフル発生の表示を行いユーザに報知し、さらに以後のページを読み飛ばし排出して本送信ジョブを中止する（End）。ＦＡＸ送信可能な場合は（ステップＳ２３２；Ｙｅｓ）、ステップＳ２２４の処理へ移行する。
【０２１０】
一方、ステップＳ２２２の判断でＦＡＸ送信が正常に終了した場合は（ステップＳ２２２；Ｙｅｓ）、ユーザによる設定が両面送信か否かを判断する（ステップＳ２２３）。
【０２１１】
両面送信でない場合は（ステップＳ２２３；Ｎｏ）、原稿裏面に片面用の正常スタンプＳＡを押印し（ステップＳ２３４）、ステップＳ２４０の処理へ移行する。両面送信の場合は（ステップＳ２２３；Ｙｅｓ）、裏面エラーフラグがセットされているか否かを判断する（ステップＳ２２４）。セットされている場合は（ステップＳ２２４；Ｙｅｓ）、ステップＳ２３５の処理へ移行する。セットされていない場合は（ステップＳ２２４；Ｎｏ）、画像メモリ２６のメインメモリ領域に保存されている原稿１ページの裏面の画像データをＦＡＸ送信し（ステップＳ２２５）、その原稿裏面のＦＡＸ送信が通信エラーなど起こらずに正常に終了したか否かを判断する（ステップＳ２２６）。
【０２１２】
ＦＡＸ送信が正常に終了した場合は（ステップＳ２２６；Ｙｅｓ）、ステップＳ２３５の処理へ移行する。ＦＡＸ送信が正常に終了しなかった場合は（ステップＳ２２６；Ｎｏ）、裏面エラーフラグをセットし（ステップＳ２２７）、ステップＳ２３５の処理へ移行する。
【０２１３】
ステップＳ２３５では、表面エラーフラグがセットされているか否かを判断する。セットされている場合は（ステップＳ２３５；Ｙｅｓ）、ステップＳ２４１の処理へ移行する。セットされていない場合は（ステップＳ２３５；Ｎｏ）、裏面エラーフラグがセットされているか否かを判断する（ステップＳ２３６）。セットされていない場合は（ステップＳ２３６；Ｎｏ）、原稿裏面に両面正常スタンプＳＣを押印し（ステップＳ２３７）、ステップＳ２４０の処理へ移行する。セットされている場合は（ステップＳ２３６；Ｙｅｓ）、原稿裏面に両面原稿用の裏面異常スタンプＳＥを押印し（ステップＳ２３８）、ステップＳ２３９の処理へ移行する。
【０２１４】
またステップＳ２４１では、裏面エラーフラグがセットされているか否かを判断し、セットされていない場合は（ステップＳ２４１；Ｎｏ）、原稿裏面に両面原稿用の表面異常スタンプＳＦを押印し（ステップＳ２４２）、ステップＳ２３９の処理へ移行する。セットされている場合は（ステップＳ２４１；Ｙｅｓ）、原稿裏面に両面異常スタンプＳＤを押印し（ステップＳ２４３）、ステップＳ２３９の処理へ移行する。
【０２１５】
ステップＳ２３９では、回線上は継続したＦＡＸ送信が可能であるか否かを判断する。ＦＡＸ送信不可能な通信エラーまたはメモリフルの場合は（ステップＳ２３９；Ｎｏ）、たとえば表示部１９（図１参照）に通信エラー発生またはメモリフル発生の表示を行いユーザに報知し、さらに以後のページを読み飛ばし排出して本送信ジョブを中止する（End）。ＦＡＸ送信可能な場合は（ステップＳ２３９；Ｙｅｓ）、ステップＳ２４０の処理へ移行する。
【０２１６】
ステップＳ２４０では、片面用／両面用の各種スタンプＳを押印した原稿が最終ページであるか否かを判断する。原稿が最終ページでない場合は（ステップＳ２４０；Ｎｏ）、図４１のステップＳ２１１の処理へ戻る。原稿が最終ページであった場合は（ステップＳ２４０；Ｙｅｓ）、本送信ジョブを終了する（End）。
【０２１７】
このステップＳ２１１からステップＳ２４３までの一連の処理で、通信エラーまたはメモリフルが発生しなければ片面／両面原稿の全ページが正常に読み取られてＦＡＸ送信され、各片面原稿の裏面には正常スタンプＳＡが押印され、各両面原稿の裏面には両面正常スタンプＳＣが押印される。
【０２１８】
また、第１の実施の形態と同じく、片面原稿にて継続送信可能な通信エラーが発生した場合は、そのエラー発生ページの原稿の裏面に異常スタンプＳＢが押印される。ＦＡＸ送信中止とする通信エラーまたはメモリフルエラーが発生した場合は、エラー発生前の原稿までは正常に読み取られてＦＡＸ送信されると共に、送信完了した各原稿の裏面に正常スタンプＳＡが押印され、エラー発生以降の原稿はＦＡＸ送信されず、エラーが発生したページの原稿の裏面にのみ異常スタンプＳＢが押印される。
【０２１９】
また、両面原稿の表面のみ、または裏面のみ、または表裏面にて継続送信可能な通信エラーが発生した場合は、そのエラー発生ページの原稿の裏面に、表面異常スタンプＳＦ、または裏面異常スタンプＳＥ、または両面異常スタンプＳＤが押印される。ＦＡＸ送信中止とする通信エラーまたはメモリフルエラーが表面または裏面にて発生した場合は、エラー発生前の原稿までは正常に読み取られてＦＡＸ送信されると共に、送信完了した各原稿の裏面に両面正常スタンプＳＣ（または表面異常スタンプＳＦ／裏面異常スタンプＳＥ）が押印され、エラー発生以降の原稿はＦＡＸ送信されず、エラーが発生したページの原稿の裏面にのみ表面異常処理停止スタンプＳＧまたは裏面異常スタンプＳＥが押印される。
【０２２０】
次に、再送モードを使用する場合の流れを説明する。なお、片面原稿と同様に両面原稿の場合も両面用スタンプＳの押印されていない原稿は、後続ページの原稿にて最初に現れる両面用スタンプＳの種類によってＦＡＸ再送信の要否が決まるため、本実施形態においても、画像メモリ２６の使用方法をメインメモリ領域とテンポラリメモリ領域に分けて制御を行う。ただし、第１の実施の形態では、裏面にスタンプＳの押印されていないページの画像データのみをテンポラリメモリ領域に保存するようにしたが、第２の実施の形態では、スタンプＳの有無に関係なく、読み取ったページはすべて一旦テンポラリメモリ領域に保存し、その中でＦＡＸ再送信が必要と決定された原稿面の画像データをメインメモリ領域に移動するようにしている。
【０２２１】
すなわち、読み取ったページをテンポラリメモリ領域に保存した後、そのページの裏面にスタンプＳが有るか否かを判断し、スタンプＳが無い場合は次ページの読み取りおよびテンポラリメモリ領域への保存処理を続行し、スタンプＳの押印されたページの場合に、それまでテンポラリメモリ領域に保存したページの各原稿面について再送信の要否を判断する。そして、再送信不要と判断した原稿面の画像データをテンポラリメモリ領域から削除した後、残った原稿面（再送信要の原稿面）の画像データをテンポラリメモリ領域からメインメモリ領域にコピーし、その後、テンポラリメモリ領域内の画像データをすべて削除して、次の読み取りに備えるように処理している。
【０２２２】
テンポラリメモリ領域に画像データを保存したページの裏面にスタンプＳが押印されている場合、その時点でテンポラリメモリ領域に保存されているページは元の送信時に一度のフィードで読み取られたページになっている。すなわち、元の送信時に１ページずつ読み取られていた場合は、裏面にスタンプＳの押印されたページが連続するので、テンポラリメモリ領域内にはその１ページ分の画像データのみが保存されている。一方、マルチフィードが生じている場合は、スタンプＳの無いページが１または２ぺージ以上続いた後にスタンプＳの押印されたページが現れる。したがて、スタンプＳの押印されたページが現れた時点では、これらのマルチフィードされた一束のページ群がテンポラリメモリ領域に保存されていることになる。
【０２２３】
つまり、テンポラリメモリ領域に複数ページ保存されている場合は、それらのページは一束にしてマルチフィードされたページ群であり、今回読み取ったスタンプＳの押印されているページ（テンポラリメモリ領域の最後に保存されているページ）はマルチフィードされた一束のページ群の最終ページであり、テンポラリメモリ領域に保存されている他のページは、このスタンプＳの押印されたページの手前に連続するスタンプＳの押印されていないページになっている。
【０２２４】
そこで、両面用スタンプＳの種類が表面の正常を示す両面正常スタンプＳＣまたは裏面異常スタンプＳＥの場合は、一束のページ群の中の先頭ページの表面の画像データ、すなわちテンポラリメモリ領域内の先頭の画像データはＦＡＸ送信済みとして扱う。すなわちメインメモリ領域に転送せずに削除する。また、両面用スタンプＳの種類が表面の異常を示す両面異常スタンプＳＤまたは表面異常スタンプＳＦまたは表面異常処理停止スタンプＳＧの場合は、テンポラリメモリ領域内の先頭ページの表面の画像データはＦＡＸ未送信として扱い再送信の対象にする。すなわち、メインメモリ領域に転送してから削除する（異常先頭ページ原稿面特定処理）。
【０２２５】
さらに、両面用スタンプＳの種類が裏面の正常を示す両面正常スタンプＳＣまたは表面異常スタンプＳＦの場合は、一束のページ群の中の最終ページ（両面用スタンプＳの押印されたページ）の裏面の画像データ、すなわちテンポラリメモリ領域内の最終の画像データはＦＡＸ送信済みとして扱う。また、両面用スタンプＳの種類が裏面の異常を示す両面異常スタンプＳＤまたは裏面異常スタンプＳＥまたは表面異常処理停止スタンプＳＧの場合は、テンポラリメモリ領域内の最終ページの裏面の画像データはＦＡＸ未送信として扱い再送信の対象にする（異常ページ原稿面特定処理）。
【０２２６】
また、テンポラリメモリ領域内に２ページ以上保存されているときは、その最終ページ以外のページは両面用スタンプＳの押印されていないページである。そこで、テンポラリメモリ領域内に２ページ以上保存されているときは１ページ目の裏面から最終ページの表面までの各原稿面を再送信の対象にしている（マルチフィードページ原稿面特定処理）。
【０２２７】
また、両面用スタンプＳの押印されていないページの表裏面の画像データをテンポラリメモリ領域に保存する処理を繰り返しているうちに最終ページとなったときは、それらのページはメモリフルあるいはＦＡＸ送信中止となる通信エラーによって最終ページまで読み飛ばされたページであるため、テンポラリメモリ領域内のすべてのページの表裏面を再送信の対象にしている（異常後続ページ原稿面特定処理）。このとき、テンポラリメモリ領域に保存されたページの直前のページは表面異常処理停止スタンプＳＧまたは裏面異常スタンプＳＥの押印されたページになっているはずであるため、表面異常処理停止スタンプＳＧの場合はそのページの表裏面も、また裏面異常スタンプＳＥの場合はそのページの裏面も再送信の対象にされる（異常ページ原稿面特定処理）。
【０２２８】
以下、本処理の各ステップを詳細に説明する。ＦＡＸ未送信原稿の自動再送信を行う場合、図４１に示すステップＳ２０１、Ｓ２０２、およびＳ２１１〜Ｓ２１９、図４２に示すステップＳ２２０〜Ｓ２４３までの一連の処理を行った後に、ユーザは操作部１２を通して再送モードの設定を行い、原稿群を再度、原稿読取装置１１の原稿トレー４１にセットして原稿群の読み取りを開始する操作を行う（図４１のStart）。
【０２２９】
システム制御部１３のＣＰＵ２０は、再送モードの設定が有効であると判断し（ステップＳ２０１；Ｙｅｓ）、図４３に示すステップＳ２４４以下のＦＡＸ再送信（再送信ジョブ）を行うための処理を実行する。
【０２３０】
まず、前ページの済みスタンプ状態を保持するための「スタンプ有無フラグ」をオンに設定すると共に、原稿の種類を保持するための「片面両面判別フラグ」を未設定にする（ステップＳ２４４）。本処理で使用するスタンプ有無フラグは、第１の実施の形態と同じく前ページが片面用／両面用スタンプＳの押印されたページであるか否かを示しており、フラグ・オンは前ページが「スタンプ有り」であったことを示し（初期値）、フラグ・オフは前ページが「スタンプ無し」であったことを示す。ただし、スタンプ有無フラグは片面原稿の場合に使用し、両面原稿に対する処理では使用していない。片面両面判別フラグは、片面が「片面原稿」であることを示し、両面が「両面原稿」であることを示す。未設定は片面原稿か両面原稿かが特定されていない状態を示す。
【０２３１】
次に、原稿読取装置１１は原稿１ページの両面の画像を読み取り（ステップＳ２４５）、該原稿が片面原稿の場合は表面の画像データのみを、両面原稿もしくは片面か両面かが未設定の場合は原稿の表裏面の画像データをテンポラリメモリに保存する（ステップＳ２４６〜Ｓ２５０）。
【０２３２】
詳細には、まず読み取った原稿表面の画像データを画像メモリ２６のテンポラリメモリ領域に保存する（ステップＳ２４６）。続いて、メモリフルが発生したか否かを判断し（ステップＳ２４７）、メモリフルが発生した場合は（ステップＳ２４７；Ｙｅｓ）、本再送信ジョブを中止するための後処理を行うために、ステップＳ２７１の処理を実行する。
【０２３３】
メモリフルが発生せず、読み取った原稿表面の画像データが正常に画像メモリ２６に保存された場合は（ステップＳ２４７；Ｎｏ）、片面両面判別フラグが片面を示すか否かを判断する（ステップＳ２４８）。片面を示す場合は（ステップＳ２４８；Ｙｅｓ）、原稿裏面の画像データを画像メモリ２６のテンポラリメモリ領域に保存せずにステップＳ２５１の処理へ移行する。片面を示さない（未設定または両面を示す）場合は（ステップＳ２４８；Ｎｏ）、読み取った原稿裏面の画像データを画像メモリ２６のテンポラリメモリ領域に保存する（ステップＳ２４９）。
【０２３４】
続いて、メモリフルが発生したか否かを判断し（ステップＳ２５０）、メモリフルが発生した場合は（ステップＳ２５０；Ｙｅｓ）、本再送信ジョブを中止するための後処理を行うために、ステップＳ２７１の処理を実行する。メモリフルが発生せず、読み取った原稿裏面の画像データが正常に画像メモリ２６に保存された場合は（ステップＳ２５０；Ｎｏ）、ステップＳ２５１の処理へ移行する。
【０２３５】
テンポラリメモリ領域へ必要な画像データを保存した後、ステップＳ２５１では、原稿裏面の片面用／両面用スタンプＳの有無を判断する。片面用／両面用スタンプＳが無い場合は（ステップＳ２５１；Ｙｅｓ）、スタンプ有無フラグをオフにした後（ステップＳ２６３）、最終ページか否かを判断し（ステップＳ２６４）、次ページが有る場合は（ステップＳ２６４；Ｎｏ）、ステップＳ２４５に移行して次ページの読み取りを行う。このように片面用／両面用スタンプＳが無い間は各ページの画像データがテンポラリメモリに蓄積される。なお、最終ページの場合(ステップＳ２６４；Ｙｅｓ)の処理については後述する。
【０２３６】
片面用／両面用スタンプＳが有る場合は（ステップＳ２５１；Ｎｏ）、片面両面判別フラグが片面を示すか否かを判断する（ステップＳ２５２）。片面を示す場合は（ステップＳ２５２；Ｙｅｓ）、片面用スタンプの種類を判別する図４４のステップＳ２５４へ移行する。
【０２３７】
片面を示さない（未設定または両面を示す）場合は（ステップＳ２５２；Ｎｏ）、片面両面判別フラグが両面を示すか否かを判断する（ステップＳ２５３）。両面を示さない（未設定の）場合は（ステップＳ２５３；Ｎｏ）、片面用スタンプか両面用スタンプかを判別する図４５のステップＳ２７２の処理へ移行する。
【０２３８】
両面を示す場合は（ステップＳ２５３；Ｙｅｓ）、両面用スタンプの種類を判別する図４５のステップＳ２７６の処理へ移行する。
【０２３９】
図４４のステップＳ２５４では、原稿裏面に押印された片面用／両面用スタンプＳの種類が片面用の異常スタンプＳＢであるか否かを判断する。片面用の異常スタンプＳＢでない場合は（ステップＳ２５４；Ｎｏ）、さらに片面用／両面用スタンプＳの種類が片面用の正常スタンプＳＡであるかを判断する（ステップＳ２６０）。片面用の正常スタンプＳＡの場合で（ステップＳ２６０；Ｙｅｓ）かつスタンプ有無フラグがオンの場合（ステップＳ２６１；Ｙｅｓ）、画像メモリ２６のテンポラリメモリ領域には当該ページの画像データのみが入っており（スタンプ有無フラグがオンより判断）かつこのページは正常に送信されている（片面用の正常スタンプＳＡより判断）ので、テンポラリメモリ領域の最終画像データ(当該片面用の正常スタンプＳＡの押印された片面原稿の画像データ)を削除して再送信の対象外とした後（ステップＳ２６２）、次ページが有るかを判断するステップＳ２６４へ移行する。
【０２４０】
片面用の正常スタンプＳＡ（ステップＳ２６０；Ｙｅｓ）かつスタンプ有無フラグがオフの場合（ステップＳ２６１；Ｎｏ）、当該片面用の正常スタンプＳＡは一束にしてマルチフィードされたページの先頭ページが正常送信されていることを示しているので、画像メモリ２６のテンポラリメモリ領域の先頭画像データを削除して再送信の対象から外す（ステップＳ２５８）。さらに、テンポラリメモリ領域に残っているすべてのページ（これらはマルチフィードされて読み取られていない）を再送信の対象にするためにメインメモリ領域にコピーした（ステップＳ２５５〜Ｓ２５７）後、スタンプ有無フラグをオンに設定し（ステップＳ２５９）、次ページが有るかを判断するステップＳ２６４へ移行する。
【０２４１】
なお、途中でメモリフルが発生した場合は（ステップＳ２５７；Ｙｅｓ）、本再送信ジョブを中止するための後処理を行うために、図４３のステップＳ２７１の処理を実行する。
【０２４２】
片面用／両面用スタンプＳの種類が片面用の異常スタンプＳＢである場合は（ステップＳ２５４；Ｙｅｓ）、画像メモリ２６のテンポラリメモリ領域に保存されているページをすべて再送信の対象にする。すなわち、片面用の異常スタンプＳＢはテンポラリメモリ領域の先頭ページが異常であることを示し、テンポラリメモリ内の次ページ以降はマルチフィードされた読み取られていないページなので、テンポラリメモリ領域に保存されているページをすべて再送信の対象にする。
【０２４３】
詳細には、画像メモリ２６のテンポラリメモリ領域に画像データが有るか否かを判断する（ステップＳ２５５）。画像データが無い場合は（ステップＳ２５５；Ｎｏ）、スタンプ有無フラグをオンに設定し（ステップＳ２５９）、図４３のステップＳ２６４の処理へ移行する。画像データが有る場合は（ステップＳ２５５；Ｙｅｓ）、画像メモリ２６のテンポラリメモリ領域に存在する先頭の画像データをメインメモリ領域にコピーし（ステップＳ２５６）、メモリフルが発生したか否かを判断する（ステップＳ２５７）。
【０２４４】
メモリフルが発生した場合は（ステップＳ２５７；Ｙｅｓ）、本再送信ジョブを中止するための後処理を行うために、図４３のステップＳ２７１の処理を実行する。メモリフルが発生せず、画像メモリ２６のテンポラリメモリ領域に存在する先頭の画像データが正常にメインメモリ領域にコピーされた場合は（ステップＳ２５７；Ｎｏ）、その先頭の画像データをテンポラリメモリ領域から削除して（ステップＳ２５８）、ステップＳ２５５の処理へ戻る。
【０２４５】
なお、原稿裏面に押印された片面用スタンプＳの種類が片面用の正常スタンプＳＡでも異常スタンプＳＢでもない場合は（ステップＳ２６０；Ｎｏ）、本再送信ジョブを中止するための後処理を行うために、ステップＳ２７１の処理を実行する。なお、このステップＳ２６０で否定判定となるケースは、スタンプの擦れや紙面の汚れなどにより、片面用スタンプＳの種類を最終的に識別できなかった場合に発生する。
【０２４６】
図４３のステップＳ２５３の処理で片面両面判別フラグが両面を示さない(未設定)と判断し（ステップＳ２５３；Ｎｏ）、図４５のステップＳ２７２の処理へ移行した場合は、ステップＳ２７２で暫定的に片面両面判別フラグを片面に設定し、原稿裏面に押印された片面用／両面用スタンプＳの種類が片面用の異常スタンプＳＢであるか否かを判断する（ステップＳ２７３）。
【０２４７】
片面用の異常スタンプＳＢである場合は（ステップＳ２７３；Ｙｅｓ）、図４７のステップＳ２８８の処理へ移行する。この場合、片面用の異常スタンプＳＢはテンポラリメモリ領域内の先頭ページが未送信であることを示しているので、テンポラリメモリ領域内のすべてのページの表面を再送信の対象にする(ステップＳ２８８〜Ｓ２９２)。ただし、テンポラリメモリ領域には各ページの裏面の画像データも保存されているので、それらは再送信の対象にしない。
【０２４８】
詳細には、表面の画像データはステップＳ２８９で画像メモリ２６のテンポラリメモリ領域からメインメモリ領域にコピーして再送信の対象とし、その後、ステップＳ２９１で当該表面の画像データをテンポラリメモリ領域から削除し、さらにステップＳ２９２で裏面の画像データをメインメモリ領域にコピーせずにテンポラリメモリ領域から削除している。なお、途中でメモリフルになった場合は（ステップＳ２９０；Ｙｅｓ）、本再送信ジョブを中止するための後処理を行うために、図４３のステップＳ２７１の処理を実行する。
【０２４９】
片面用の異常スタンプＳＢでない場合は（図４５、ステップＳ２７３；Ｎｏ）、原稿裏面に押印された片面用／両面用スタンプＳの種類が片面用の正常スタンプＳＡであるか否かを判断し、片面用の正常スタンプＳＡである場合は（ステップＳ２７４；Ｙｅｓ）、図４７のステップＳ２９１の処理へ移行する。
【０２５０】
この場合、片面用の正常スタンプＳＡはテンポラリメモリ領域内の先頭ページが正常送信済みであることを示しているので、テンポラリメモリ領域内の先頭ページは再送信の対象から除外し、２ページ目以降の表面を再送信の対象にする。すなわち、まずステップＳ２９１、Ｓ２９２にて先頭ページの表面と裏面の画像データをテンポラリメモリ領域より削除してからステップＳ２８８に移行することで、２ページ目以降の各ページの表面のみをテンポラリメモリ領域からメインメモリ領域にコピーして再送信対象にしている(ステップＳ２８８〜Ｓ２９２)。
【０２５１】
片面用の異常スタンプＳＢでも片面用の正常スタンプＳＡでもない場合は（図４５、ステップＳ２７４；Ｎｏ）、当該スタンプは両面用スタンプＳであるとして片面両面判別フラグを両面に設定変更した後（ステップＳ２７５）、原稿裏面に押印された片面用／両面用スタンプＳの種類が両面異常スタンプＳＤであるか否かを判断する（ステップＳ２７６）。また、図４３のステップＳ２５３の処理で片面両面判別フラグが両面を示すと判断した場合も（ステップＳ２５３；Ｙｅｓ）、ステップＳ２７６以降の処理を行う。
【０２５２】
片面用／両面用スタンプＳの種類が両面異常スタンプＳＤである場合は（ステップＳ２７６；Ｙｅｓ）、図４６のステップＳ２８３の処理へ移行する。この場合、テンポラリメモリ領域に保存されているすべてのページの表裏面を再送信の対象にする。すなわち、両面用スタンプＳのうち表面の正常／異常を示す情報(左側の三角形部分)は、テンポラリメモリ領域の先頭ページの表面が未送信か否かを示し、両面用スタンプＳのうち裏面の正常／異常を示す情報(右側の三角形部分)は、テンポラリメモリ領域の最終ページの裏面が未送信か否かを示している。また、テンポラリメモリ領域に２ページ以上保存されている場合、これらはマルチフィードされたページなので、テンポラリメモリ領域の先頭ページの裏面から最終ページの表面までの各原稿面の画像データは再送信の対象にすべきものである。
【０２５３】
そこで、片面用／両面用スタンプＳの種類が両面異常スタンプＳＤである場合は（ステップＳ２７６；Ｙｅｓ）、テンポラリメモリ領域に保存されているすべてのページの表裏面を再送信の対象にしている。
【０２５４】
詳細には、画像メモリ２６のテンポラリメモリ領域に画像データが有るか否かを判断し（ステップＳ２８３）、画像データが有る場合は（ステップＳ２８３；Ｙｅｓ）、画像メモリ２６のテンポラリメモリ領域に存在する先頭の画像データをメインメモリ領域にコピーし（ステップＳ２８４）、メモリフルが発生したか否かを判断する（ステップＳ２８５）。
【０２５５】
メモリフルが発生した場合は（ステップＳ２８５；Ｙｅｓ）、本再送信ジョブを中止するための後処理を行うために、図４３のステップＳ２７１の処理を実行する。メモリフルが発生せず、画像メモリ２６のテンポラリメモリ領域に存在する先頭の画像データが正常にメインメモリ領域にコピーされた場合は（ステップＳ２８５；Ｎｏ）、その先頭の画像データをテンポラリメモリ領域から削除して（ステップＳ２８６）、ステップＳ２８３の処理へ戻る。
【０２５６】
テンポラリメモリ領域に画像データが無くなった場合は（ステップＳ２８３；Ｎｏ）、スタンプ有無フラグをオンに設定し（ステップＳ２８７）、図４３のステップＳ２６４の処理（最終ページかを判断する処理）に移行する。
【０２５７】
片面用／両面用スタンプＳの種類が両面用の両面異常スタンプＳＤでない場合は（図４５、ステップＳ２７６；Ｎｏ）、原稿裏面に押印された片面用／両面用スタンプＳの種類が両面原稿用の裏面異常スタンプＳＥであるか否かを判断し（ステップＳ２７７）、裏面異常スタンプＳＥである場合は（ステップＳ２７７；Ｙｅｓ）、図４６のステップＳ２８６の処理へ移行する。
【０２５８】
裏面異常スタンプＳＥは、テンポラリメモリ領域内の先頭ページの表面は正常に送信済みでありかつテンポラリメモリ領域の最終ページの裏面は異常(未送信)であることを示しているので、ステップＳ２８６に移行してまずテンポラリメモリ領域の先頭ページを削除した後、ステップＳ２８３へ戻ることで、残りの各原稿面を再送信対象にしている（ステップＳ２８３〜Ｓ２８７）。
【０２５９】
片面用／両面用スタンプＳの種類が裏面異常スタンプＳＥでない場合は（ステップＳ２７７；Ｎｏ）、原稿裏面に押印された片面用／両面用スタンプＳの種類が両面原稿用の表面異常スタンプＳＦであるか否かを判断する（ステップＳ２７８）。
【０２６０】
表面異常スタンプＳＦは、テンポラリメモリ領域内の先頭ページの表面は異常(未送信)でありかつテンポラリメモリ領域内の最後のページ（当該表面異常スタンプＳＦの押されているページ）の裏面は正常送信されていることを示している。そこで、表面異常スタンプＳＦである場合は（ステップＳ２７８；Ｙｅｓ）、画像メモリ２６のテンポラリメモリ領域に存在する最終の画像データを削除して（ステップＳ２７９）再送信の対象外にした後、図４６のステップＳ２８３の処理へ移行し、テンポラリメモリ領域に残っている他のすべての原稿面を再送信の対象にしている（ステップＳ２８３〜Ｓ２８７）。
【０２６１】
片面用／両面用スタンプＳの種類が表面異常スタンプＳＦでない場合は（ステップＳ２７８；Ｎｏ）、原稿裏面に押印された片面用／両面用スタンプＳの種類が両面原稿用の表面異常処理停止スタンプＳＧであるか否かを判断する（ステップＳ２８０）。
【０２６２】
表面異常処理停止スタンプＳＧは、テンポラリメモリ領域内の先頭ページの表面は異常(未送信)でありかつその後のページは読み飛ばされて未送信であることを示している。そこで、表面異常処理停止スタンプＳＧである場合は（ステップＳ２８０；Ｙｅｓ）、図４６のステップＳ２８３の処理へ移行し、テンポラリメモリ領域内のすべてのページの表裏面を再送信の対象にしている（ステップＳ２８３〜Ｓ２８７）。
【０２６３】
片面用／両面用スタンプＳの種類が表面異常処理停止スタンプＳＧでない場合は（ステップＳ２８０；Ｎｏ）、原稿裏面に押印された片面用／両面用スタンプＳの種類が両面正常スタンプＳＣであるか否かを判断する（ステップＳ２８１）。
【０２６４】
両面正常スタンプＳＣは、テンポラリメモリ領域内の先頭ページの表面は正常送信されかつテンポラリメモリ領域内の最後のページ（当該両面正常スタンプＳＣの押されているページ）の裏面も正常送信されていることを示している。そこで、両面正常スタンプＳＣである場合は（ステップＳ２８１；Ｙｅｓ）、画像メモリ２６のテンポラリメモリ領域に存在する最終の画像データをまず削除した（ステップＳ２８２）後、図４６のステップＳ２８６の処理へ移行してテンポラリメモリの先頭ページを削除することで正常送信されたページを再送信の対象外とした後、ステップＳ２８３へ戻り、残りの原稿面のみを再送信の対象にしている（ステップＳ２８３〜Ｓ２８７）。
【０２６５】
片面用／両面用スタンプＳの種類が両面正常スタンプＳＣでない場合は（ステップＳ２８１；Ｎｏ）、本再送信ジョブを中止するための後処理を行うために、図４３のステップＳ２７１の処理を実行する。なお、このステップＳ２８１で否定判定となるケースは、すなわち、片面用／両面用スタンプＳの種類がいずれにも該当しないケースは、片面用／両面用スタンプＳの種類を最終的に識別できなかった場合に発生する可能性がある。
【０２６６】
上記のようにステップＳ２７２からステップＳ２８１までの一連の処理によって、読み取った原稿の裏面に押印された片面用／両面用スタンプＳの種類が識別され、その識別結果から本原稿が片面原稿または両面原稿のいずれであるかが自動で判別されることとなる。また、この処理過程で片面両面判別フラグが片面または両面に設定され、以後に読み取られる原稿は片面両面判別フラグに基づいて片面用または両面用の処理が行われる。
【０２６７】
図４３のステップＳ２６４では、原稿が最終ページであるか否かを判断しており、最終ページの場合は（ステップＳ２６４；Ｙｅｓ）、ＦＡＸ再送信を行うためにステップＳ２６５の処理へ移行する。
【０２６８】
ステップＳ２６５では、片面両面判別フラグが片面または両面か否かを判断し、片面または両面でない場合は（ステップＳ２６５；Ｎｏ）、スタンプＳが片面用のスタンプか両面用のスタンプかの認識が正しく行われていないので、ステップＳ２７１へ移行し、本再送信ジョブを中止するための後処理を行う。
【０２６９】
スタンプＳが片面用か両面用かの認識ができている場合は（ステップＳ２６５；Ｙｅｓ）、画像メモリ２６のテンポラリメモリ領域に画像データが有るか否かを判断する（ステップＳ２６６）。
【０２７０】
画像データが無い場合は（ステップＳ２６６；Ｎｏ）、ステップＳ２７０の処理へ移行し、画像メモリ２６のメインメモリ領域に保存されている画像データが有る場合はその画像データのＦＡＸ送信（再送信）を実行し、ＦＡＸ送信後にメインメモリ領域に有る画像データをすべて消去して（ステップＳ２７１）本再送信ジョブを終了する（End）。画像メモリ２６のメインメモリ領域に保存されている画像データが無い場合は、何も処理せず(再送信せず)にステップＳ２７１の処理へ移行し本再送信ジョブを終了する（End）。
【０２７１】
テンポラリメモリに画像データが有る場合は（ステップＳ２６６；Ｙｅｓ）、それらのページは最後に検出された片面用／両面用スタンプＳより後ろのページ、すなわち、当初の送信時に読み飛ばしされたページである。たとえば、両面用スタンプＳの無いページの表裏面の画像データをテンポラリメモリ領域に保存するステップＳ２４５〜Ｓ２５１（ステップＳ２５１；Ｙｅｓ）およびステップＳ２６３、Ｓ２６４までの処理を繰り返しているうちに最終ページとなったときは（ステップＳ２６４；Ｙｅｓ）、それらのページはメモリフルあるいはＦＡＸ送信中止となる通信エラーによって最終ページまで読み飛ばされたページと判明する。
【０２７２】
そこで、最終ページと判断した後にテンポラリメモリ領域にあるページはすべて再送信の対象にする。詳細には、画像メモリ２６のテンポラリメモリ領域に存在する先頭の画像データをメインメモリ領域にコピーし（ステップＳ２６７）、メモリフルが発生したか否かを判断する（ステップＳ２６８）。
【０２７３】
メモリフルが発生した場合は（ステップＳ２６８；Ｙｅｓ）、本再送信ジョブを中止するための後処理を行うために、ステップＳ２７１の処理を実行する。メモリフルが発生せず、画像メモリ２６のテンポラリメモリ領域に存在する先頭の画像データが正常にメインメモリ領域にコピーされた場合は（ステップＳ２６８；Ｎｏ）、その先頭の画像データをテンポラリメモリ領域から削除して（ステップＳ２６９）、ステップＳ２６６の処理へ戻る。
【０２７４】
このようにステップＳ２６６からステップＳ２６９までの一連の処理が行われると、テンポラリメモリ領域内のすべてのページ（読み飛ばされたページ）の表裏面の画像データが画像メモリ２６のテンポラリメモリ領域からメインメモリ領域へ移されて再送信の対象にされる（異常後続ページ特定処理）。なお、このステップＳ２６６〜Ｓ２６９では、第１の実施の形態で説明したステップＳ１３７〜Ｓ１４０（図１５参照）と同じ処理を行っている。
【０２７５】
以上の処理を行うことにより、前述した（５）「マルチフィードページ原稿面特定処理」、（６）「異常ページ原稿面特定処理」、（７）「異常先頭ページ原稿面特定処理」、（８）「異常後続ページ原稿面特定処理」の各機能が実現されている。
【０２７６】
（６）「異常ページ原稿面特定処理」の場合を例示すると、両面用の異常スタンプ（両面異常スタンプＳＤ／裏面異常スタンプＳＥ／表面異常スタンプＳＦ／表面異常処理停止スタンプＳＧのいずれか）の有る原稿の処理において、当該スタンプの有る原稿がマルチフィードされていない場合、すなわち、読み取った最初のページに両面用の異常スタンプが有る場合、もしくは、両面用の異常スタンプの有るページの次のページを読み取った際にそのページにも両面用の異常スタンプが有る場合、もしくは、両面正常スタンプＳＣが有るページの次のページを読み取った際にそのページに両面用の異常スタンプが有る場合には、それらの両面用の異常スタンプが有る原稿は、異常スタンプによって示された異常の面（両面／裏面／表面）がＦＡＸ未送信の原稿面であるため再送信対象となる。
【０２７７】
本両面原稿の処理では、画像メモリ２６のテンポラリメモリ領域に画像データが保存されていない状態（スタンプＳの無いページが手前に存在しない状態）で、ステップＳ２４４からステップＳ２５３を経由して、今回読み取った両面原稿の表面の画像データおよび裏面の画像データがその順番にテンポラリメモリ領域に保存される。その後、片面両面判別フラグが「未設定」（初期値）の場合（ステップＳ２５３；Ｎｏ）にはステップＳ２７２へ移行し、または、片面両面判別フラグが「両面」の場合（ステップＳ２５３；Ｙｅｓ）にはステップＳ２７６へ移行し、ステップＳ２７６、Ｓ２７７、Ｓ２７８、Ｓ２８０、Ｓ２８１のいずれかで両面用スタンプＳの種類が識別される。そして、ステップＳ２７９またはステップＳ２８２またはステップＳ２８３〜Ｓ２８６の処理により、今回読み取った両面原稿の両面用スタンプＳの種類に応じて正常であった原稿面の画像データがテンポラリメモリ領域から削除され、その後に残る原稿面の画像データのみをメインメモリ領域にコピーすることで、異常となった原稿面の画像データのみがメインメモリ領域に保存されて、再送信の対象にされる。
【０２７８】
詳細には、ステップＳＳ２７６においてテンポラリメモリ領域には当該スタンプのあるページの表裏面の画像データのみが保存されている。このページが両面異常スタンプＳＤの有る両面原稿の場合には、ステップＳ２７６からステップＳ２８３へ移行し（ステップＳ２７６；Ｙｅｓ）、１回目のステップＳ２８４で表面の画像データがメインメモリ領域に保存されてステップＳ２８６で表面の画像データがテンポラリメモリ領域から削除され、続く２回目のステップＳ２８４で裏面の画像データがメインメモリ領域に保存されてステップＳ２８６で裏面の画像データがテンポラリメモリ領域から削除されることとなり、表面および裏面の各画像データが再送信対象にされる。
【０２７９】
また、表面異常処理停止スタンプＳＧの有る両面原稿の場合には、ステップＳ２８０からステップＳ２８３へ移行し（ステップＳ２８０；Ｙｅｓ）、両面異常スタンプＳＤと同様の処理が行われて表面および裏面の各画像データが再送信対象にされる。
【０２８０】
裏面異常スタンプＳＥの有る両面原稿の場合には、ステップＳ２７７からステップＳ２８６へ移行し（ステップＳ２７７；Ｙｅｓ）、最初のステップＳ２８６で表面の画像データがテンポラリメモリ領域から削除され、続くステップＳ２８４で裏面の画像データがメインメモリ領域に保存されて次のステップＳ２８６で裏面の画像データがテンポラリメモリ領域から削除されることとなり、裏面の画像データのみが再送信対象にされる。
【０２８１】
表面異常スタンプＳＦの有る両面原稿の場合には、ステップＳ２７８からステップＳ２７９へ移行して（ステップＳ２７８；Ｙｅｓ）、ステップＳ２７９で裏面の画像データがテンポラリメモリ領域から削除され、続くステップＳ２８３以降の処理で表面の画像データがメインメモリ領域に保存されてからテンポラリメモリ領域から削除されることとなり、表面の画像データのみが再送信対象にされる。
【０２８２】
両面正常スタンプＳＣの有る両面原稿の場合には、ステップＳ２８１からステップＳ２８２へ移行して（ステップＳ２８１；Ｙｅｓ）、ステップＳ２８２で裏面の画像データがテンポラリメモリ領域から削除され、続くステップＳ２８６で表面の画像データがテンポラリメモリ領域から削除されることとなり、表面および裏面の各画像データが再送信対象から除外される。
【０２８３】
（５）「マルチフィードページ原稿面特定処理」の場合を例示すると、マルチフィードされて両面用スタンプＳの押印されていない両面原稿は、ステップＳ２４５〜Ｓ２５１（ステップＳ２５１；Ｙｅｓ）およびステップＳ２６３、Ｓ２６４までの一連の処理によって、表裏面の各画像データが画像メモリ２６のテンポラリメモリ領域に保存される。その後、両面用スタンプＳの有る両面原稿が読み取られると（ステップＳ２５１；Ｎｏ）、ステップＳ２７６以降の一連の処理が行われる。このステップＳ２７６以降の一連の処理で、テンポラリメモリ領域に保存されている両面用スタンプＳの無い原稿の裏面の画像データと次ページの原稿の表面の画像データは、画像メモリ２６のテンポラリメモリ領域からメインメモリ領域へ移されて再送信対象にされる。
【０２８４】
（７）「異常先頭ページ原稿面特定処理」の場合を例示すると、両面用スタンプＳの種類が表面の正常を示す両面正常スタンプＳＣまたは裏面異常スタンプＳＥの場合には、上記のステップＳ２７６以降の一連の処理により、マルチフィードされた一束のページ群の中の先頭ページの表面の画像データ、すなわちテンポラリメモリ領域内の先頭の画像データは削除されて再送信対象から除外される。両面用スタンプＳの種類が裏面の異常を示す両面異常スタンプＳＤまたは表面異常スタンプＳＦまたは表面異常処理停止スタンプＳＧの場合には、テンポラリメモリ領域内の先頭ページの表面の画像データはメインメモリ領域へ移されて再送信対象にされる。
【０２８５】
なお、両面用スタンプＳの種類が裏面の正常を示す両面正常スタンプＳＣまたは表面異常スタンプＳＦの場合には、上記のステップＳ２７６以降の一連の処理により、マルチフィードされた一束のページ群の中の最終ページ（両面用スタンプＳの押印されたページ）の裏面の画像データ、すなわちテンポラリメモリ領域内の最終の画像データは再送信対象から除外される。両面用スタンプＳの種類が裏面の異常を示す両面異常スタンプＳＤまたは裏面異常スタンプＳＥまたは表面異常処理停止スタンプＳＧの場合には、テンポラリメモリ領域内の最終ページの裏面の画像データはメインメモリ領域へ移されて再送信対象にされる（異常ページ原稿面特定処理）。
【０２８６】
（８）「異常後続ページ原稿面特定処理」の場合を例示すると、読み取ってテンポラリメモリ領域に保存した原稿に両面用スタンプＳが押印されていないと判断した場合で(ステップＳ２５１；Ｙｅｓ)、かつ最終ページの場合は（ステップＳ２６４；Ｙｅｓ）、その時点でテンポラリメモリ領域に保存されているすべての原稿面が再送信される（ステップＳ２６６からＳ２７０）。
【０２８７】
以上が本実施形態に係る再送モードを使用したＦＡＸ再送信の処理の流れであり、図１７〜図３９に示すスタンプパターンの各原稿群（両面原稿）に対しては本処理を行うことで、自動的にＦＡＸ再送信対象の原稿面が正確に特定され再送信される。なお、片面原稿の処理については、スタンプＳの押印された原稿の画像データをテンポラリメモリに保存するか否かの点で第１の実施の形態と第２の実施の形態とは処理内容を異にしているが、機能的には同一でありいずれも再送モードにおける（１）から（４）の機能が実現されている。
【０２８８】
このように、片面原稿に加えて両面原稿の処理にも対応した本実施形態の原稿読取装置１１では、前述した（５）〜（８）の各処理を組み合わせて両面原稿に対する再送信対象の原稿面を特定していることにより、原稿マルチフィード、通信エラー（エラー発生ページで送信中止／エラー発生ページ以外を送信）、メモリフルといった読み取り異常が単独または複合して発生した場合でも、ＦＡＸ未送信であるために再送信する必要のある両面原稿の各原稿面が正確に特定できるようになる。また、ユーザが操作部１２を通して再送モードを行う設定にし、原稿読取装置１１に再度原稿群を読み取らせるだけで、各両面原稿の両面用スタンプの読み取り結果を基に、再送信対象の両面原稿の各原稿面が自動で特定され再送信される。
【０２８９】
また、原稿の再読み取り時には原稿に押印された片面用／両面用スタンプＳの種類に基づいて原稿の種類（片面／両面）が自動で判別されるため、たとえば、再読み取りする原稿の種類をユーザが予め手入力して設定するような操作が不要となる。
【０２９０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０２９１】
たとえば、原稿に付与（押印）する識別マークとしてのスタンプの種類は円形マーク（「●」／「○」）や菱形マークに限らず、処理状態が正常または異常であること、および、両面原稿の場合は表裏面の各処理状態が識別可能なものであればよく、他のマーク（模様）や記号、文字などを用いてもよい。
【０２９２】
また、実施の形態では再送信対象の原稿（原稿面）を特定するために、原稿の画像データを保存するメモリ（画像メモリ２６）の使用方法をメインメモリ（領域）とテンポラリメモリ（領域）に分け、再送信対象となる可能性のある原稿（原稿面）の画像データをテンポラリメモリに一時的に保存するようにしているが、テンポラリメモリを使用せずにメインメモリのみを使用した制御を行うようにしてもよい。すなわち、読み取ったすべてのページをメインメモリに保存し、再送信不要の原稿（原稿面）の画像データを削除し、残った原稿面を再送信するといった方法でもよい。再送信対象の原稿（原稿面）を特定する処理の手順についても、実施の形態で説明した手順に限らず、ＦＡＸ未送信を招いた各現象を反映する識別マークの状況（スタンプパターン）に応じて再送信対象の原稿（原稿面）を正確に特定する機能が実現できるものであればいかなる手順でも構わない。すなわち、片面原稿については（１）マルチフィード原稿特定処理、（２）異常原稿特定処理、（３）異常先頭ページ特定処理、（４）異常後続ページ特定処理、両面原稿については（５）マルチフィードページ原稿面特定処理、（６）異常ページ原稿面特定処理、（７）異常先頭ページ原稿面特定処理、（８）異常後続ページ原稿面特定処理を実現できるものであればいかなる手順でも構わない。
【０２９３】
また、実施の形態では原稿読取装置が第１の読取光学系３５および第２の読取光学系３６を備えて原稿の表裏面を同時に読み取ることができる構成を例に説明したが、本発明は、原稿の表面および裏面を単一の読取光学系で異なるタイミングに読み取るような構成にも適用することができる。その場合、原稿の表面および裏面の読み取りの切り替えは、ユーザが手動で原稿トレーに載せる原稿の向きを反転させて行う、あるいは、自動原稿送り装置１６に原稿を反転させる反転機構を設けて自動で行うなどによって可能である。
【０２９４】
また、実施の形態では原稿群を読み取ってＦＡＸ送信するファクシミリ機能の他に、コピー機能、スキャナ機能、プリンタ機能などを備えたデジタル複合機を例に説明したが、本発明は、単体のファクシミリ装置やスキャナ装置、あるいは、原稿群を読み取って原稿画像を電子データ化し保存するような電子保存装置、原稿群を読み取って原稿画像を電子データ化し外部装置へデータ転送するようなデータ転送装置などにも適用することができる。
【図面の簡単な説明】
【０２９５】
【図１】本発明の実施の形態に係る原稿読取装置を備えた画像形成装置の主要構成を示す制御ブロック図である。
【図２】本発明の実施の形態に係る画像形成装置のシステム制御部の主要構成を示す回路構成図である。
【図３】本発明の実施の形態に係る自動原稿読取装置および原稿読取光学系の構成を示す構成図である。
【図４】本発明の実施の形態に係る片面原稿の裏面に形成されたスタンプパターンの一例を示す説明図である。
【図５】本発明の実施の形態に係る片面原稿の裏面に押印されたスタンプパターンの一例を示す説明図である。
【図６】本発明の実施の形態に係る片面原稿の裏面に押印されたスタンプパターンの一例を示す説明図である。
【図７】本発明の実施の形態に係る片面原稿の裏面に押印されたスタンプパターンの一例を示す説明図である。
【図８】本発明の実施の形態に係る片面原稿の裏面に押印されたスタンプパターンの一例を示す説明図である。
【図９】本発明の実施の形態に係る片面原稿の裏面に押印されたスタンプパターンの一例を示す説明図である。
【図１０】図４のスタンプパターンに対応するＦＡＸ送信完了ページNo、ＦＡＸ再送信対象ページNo、備考を示す表図である。
【図１１】図５のスタンプパターンに対応するＦＡＸ送信完了ページNo、ＦＡＸ再送信対象ページNo、備考を示す表図である。
【図１２】図６（Ｆ−１）〜（Ｆ−１５）のスタンプパターンに対応するＦＡＸ送信完了ページNo、ＦＡＸ再送信対象ページNo、備考を示す表図である。
【図１３】図６（Ｆ−１６）〜（Ｆ−３１）のスタンプパターンに対応するＦＡＸ送信完了ページNo、ＦＡＸ再送信対象ページNo、備考を示す表図である。
【図１４】本発明の実施の形態に係る原稿読取装置による片面原稿に対するＦＡＸ送信および済みスタンプ機能の動作を示す流れ図である。
【図１５】本発明の実施の形態に係る原稿読取装置による片面原稿に対する再送モードの動作を示す流れ図である。
【図１６】本発明の実施の形態に係る両面原稿の裏面に形成されたスタンプパターンの一例を示す説明図である。
【図１７】本発明の実施の形態に係る両面原稿の裏面に形成されたスタンプパターンの一例を示す説明図である。
【図１８】本発明の実施の形態に係る両面原稿の裏面に形成されたスタンプパターンの一例を示す説明図である。
【図１９】本発明の実施の形態に係る両面原稿の裏面に形成されたスタンプパターンの一例を示す説明図である。
【図２０】本発明の実施の形態に係る両面原稿の裏面に形成されたスタンプパターンの一例を示す説明図である。
【図２１】本発明の実施の形態に係る両面原稿の裏面に形成されたスタンプパターンの一例を示す説明図である。
【図２２】本発明の実施の形態に係る両面原稿の裏面に形成されたスタンプパターンの一例を示す説明図である。
【図２３】本発明の実施の形態に係る両面原稿の裏面に形成されたスタンプパターンの一例を示す説明図である。
【図２４】本発明の実施の形態に係る両面原稿の裏面に形成されたスタンプパターンの一例を示す説明図である。
【図２５】本発明の実施の形態に係る両面原稿の裏面に形成されたスタンプパターンの一例を示す説明図である。
【図２６】本発明の実施の形態に係る両面原稿の裏面に形成されたスタンプパターンの一例を示す説明図である。
【図２７】本発明の実施の形態に係る両面原稿の裏面に形成されたスタンプパターンの一例を示す説明図である。
【図２８】本発明の実施の形態に係る両面原稿の裏面に形成されたスタンプパターンの一例を示す説明図である。
【図２９】本発明の実施の形態に係る両面原稿の裏面に形成されたスタンプパターンの一例を示す説明図である。
【図３０】本発明の実施の形態に係る両面原稿の裏面に形成されたスタンプパターンの一例を示す説明図である。
【図３１】本発明の実施の形態に係る両面原稿の裏面に形成されたスタンプパターンの一例を示す説明図である。
【図３２】本発明の実施の形態に係る両面原稿の裏面に形成されたスタンプパターンの一例を示す説明図である。
【図３３】本発明の実施の形態に係る両面原稿の裏面に形成されたスタンプパターンの一例を示す説明図である。
【図３４】本発明の実施の形態に係る両面原稿の裏面に形成されたスタンプパターンの一例を示す説明図である。
【図３５】本発明の実施の形態に係る両面原稿の裏面に形成されたスタンプパターンの一例を示す説明図である。
【図３６】本発明の実施の形態に係る両面原稿の裏面に形成されたスタンプパターンの一例を示す説明図である。
【図３７】本発明の実施の形態に係る両面原稿の裏面に形成されたスタンプパターンの一例を示す説明図である。
【図３８】本発明の実施の形態に係る両面原稿の裏面に形成されたスタンプパターンの一例を示す説明図である。
【図３９】本発明の実施の形態に係る両面原稿の裏面に形成されたスタンプパターンの一例を示す説明図である。
【図４０】図１６〜３９のスタンプパターン（一部）に対応するＦＡＸ送信完了ページNo、ＦＡＸ再送信対象ページNo、備考を示す表図である。
【図４１】本発明の実施の形態に係る原稿読取装置による片面および両面原稿に対するＦＡＸ送信および済みスタンプ機能の動作を示す流れ図である。
【図４２】本発明の実施の形態に係る原稿読取装置による片面および両面原稿に対するＦＡＸ送信および済みスタンプ機能の動作を示す流れ図である。
【図４３】本発明の実施の形態に係る原稿読取装置による片面および両面原稿に対する再送モードの動作を示す流れ図である。
【図４４】本発明の実施の形態に係る原稿読取装置による片面および両面原稿に対する再送モードの動作を示す流れ図である。
【図４５】本発明の実施の形態に係る原稿読取装置による片面および両面原稿に対する再送モードの動作を示す流れ図である。
【図４６】本発明の実施の形態に係る原稿読取装置による片面および両面原稿に対する再送モードの動作を示す流れ図である。
【図４７】本発明の実施の形態に係る原稿読取装置による片面および両面原稿に対する再送モードの動作を示す流れ図である。
【符号の説明】
【０２９６】
１０…画像形成装置
１１…原稿読取装置
１２…操作部
１３…システム制御部
１４…エンジン制御部
１５…原稿読み取り光学系
１６…自動原稿送り装置
１７…プリンタエンジン
１８…フィニッシャ
１９…表示部
２０…ＣＰＵ
２１…バス
２２…ＣＰＵメモリ
２３…FlashＲＯＭ／ＨＤＤ
２４…ＮＶＲＡＭ
２５…バス
２６…画像メモリ
２７…画像処理ＡＳＩＣ
２８…画像回転ＡＳＩＣ
２９…画像圧縮／伸張ＡＳＩＣ
３０…ＤＭＡコントローラ
３１…ＦＡＸユニット
３２…ＣＣＤイメージセンサ／ＬＤ
３３…公衆回線
３４…ＣＰＵ
３５…第１の読取光学系
３６…第２の読取光学系
３７…反射ミラー
３８…レンズ
４０…装置本体
４１…原稿トレー
４２…排出トレー
４３…ピックアップローラ
４４…搬入通路
４５…搬送ローラ
４６…搬出通路
４７…搬送ローラ
４８…排出ローラ
４９…隔壁部
５０…スタンプ機構
Ｍ…原稿（片面原稿／両面原稿）
ＭＦ…表面
ＭＲ…裏面
ＲＰ１…読取位置
ＲＰ２…読取位置
Ｓ…スタンプ（片面用スタンプ／両面用スタンプ）
ＳＡ…正常スタンプ
ＳＢ…異常スタンプ
ＳＣ…両面正常スタンプ
ＳＤ…両面異常スタンプ
ＳＥ…裏面異常スタンプ
ＳＦ…表面異常スタンプ
ＳＧ…表面異常処理停止スタンプ
【図１】
2008182671.tif 000003
【図２】
2008182671.tif 000004
【図３】
2008182671.tif 000005
【図４】
2008182671.tif 000006
【図５】
2008182671.tif 000007
【図６】
2008182671.tif 000008
【図７】
2008182671.tif 000009
【図８】
2008182671.tif 000010
【図９】
2008182671.tif 000011
【図１０】
2008182671.tif 000012
【図１１】
2008182671.tif 000013
【図１２】
2008182671.tif 000014
【図１３】
2008182671.tif 000015
【図１４】
2008182671.tif 000016
【図１５】
2008182671.tif 000017
【図１６】
2008182671.tif 000018
【図１７】
2008182671.tif 000019
【図１８】
2008182671.tif 000020
【図１９】
2008182671.tif 000021
【図２０】
2008182671.tif 000022
【図２１】
2008182671.tif 000023
【図２２】
2008182671.tif 000024
【図２３】
2008182671.tif 000025
【図２４】
2008182671.tif 000026
【図２５】
2008182671.tif 000027
【図２６】
2008182671.tif 000028
【図２７】
2008182671.tif 000029
【図２８】
2008182671.tif 000030
【図２９】
2008182671.tif 000031
【図３０】
2008182671.tif 000032
【図３１】
2008182671.tif 000033
【図３２】
2008182671.tif 000034
【図３３】
2008182671.tif 000035
【図３４】
2008182671.tif 000036
【図３５】
2008182671.tif 000037
【図３６】
2008182671.tif 000038
【図３７】
2008182671.tif 000039
【図３８】
2008182671.tif 000040
【図３９】
2008182671.tif 000041
【図４０】
2008182671.tif 000042
【図４１】
2008182671.tif 000043
【図４２】
2008182671.tif 000044
【図４３】
2008182671.tif 000045
【図４４】
2008182671.tif 000046
【図４５】
2008182671.tif 000047
【図４６】
2008182671.tif 000048
【図４７】
2008182671.tif 000049